(57)【特許請求の範囲】
【請求項１】
一対の基板間に電界印加によって光学特性が変化する物質を設けてなる表示パネルと、前記表示パネルに向けて光を照射する照明装置とを備え、
前記表示パネルにおける前記一対の基板のいずれか一方に、それぞれ青色、緑色、赤色、黄色を呈する複数の着色部からなるカラーフィルタが形成されているのに対し、前記照明装置は、光源としてＬＥＤを備えており、
前記ＬＥＤは、発光源であるＬＥＤ素子と、前記ＬＥＤ素子からの光により励起されて発光する蛍光体とを備え、前記蛍光体には、少なくともＹＡＧ系蛍光体が含まれ、
前記ＹＡＧ系蛍光体は、主発光波長が５１９ｎｍ〜５３９ｎｍの範囲とされ、
赤色を呈する前記着色部は、青色を呈する前記着色部及び緑色を呈する前記着色部よりも膜厚が相対的に大きいものとされる表示装置。
【請求項２】
前記蛍光体には、前記ＬＥＤ素子から発せられる光により励起されて赤色光を発する赤色蛍光体が含まれている請求項１に記載の表示装置。
【請求項３】
前記赤色蛍光体は、カズン系蛍光体からなる請求項２記載の表示装置。
【請求項４】
前記赤色蛍光体は、カズン（ＣａＡｌＳｉＮ3：Ｅｕ）からなる請求項３記載の表示装置。
【請求項５】
青色を呈する前記着色部及び緑色を呈する前記着色部は、互いに膜厚がほぼ同じとされる請求項１から請求項４のいずれか１項に記載の表示装置。
【請求項６】
黄色を呈する前記着色部は、青色を呈する前記着色部及び緑色を呈する前記着色部と膜厚がほぼ同じとされる請求項５記載の表示装置。
【請求項７】
赤色を呈する前記着色部は、その膜厚が青色を呈する前記着色部及び緑色を呈する前記着色部の膜厚の２５０％以下の大きさとされる請求項１から請求項６のいずれか１項に記載の表示装置。
【請求項８】
赤色を呈する前記着色部は、その膜厚が青色を呈する前記着色部及び緑色を呈する前記着色部の膜厚の１４２．８％〜２１４．３％の範囲の大きさとされる請求項７記載の表示装置。
【請求項９】
青色を呈する前記着色部及び緑色を呈する前記着色部は、その膜厚が２．１μｍとされるのに対し、赤色を呈する前記着色部は、その膜厚が３．０μｍ〜４．５μｍの範囲とされる請求項８記載の表示装置。
【請求項１０】
前記ＬＥＤ素子は、主発光波長が４２０ｎｍ〜５００ｎｍの範囲とされる請求項１から請求項９のいずれか１項に記載の表示装置。
【請求項１１】
前記ＬＥＤ素子は、主発光波長が４５１ｎｍとされる請求項１０記載の表示装置。
【請求項１２】
各前記着色部における面積比率は、互いに等しいものとされる請求項１から請求項１１のいずれか１項に記載の表示装置。
【請求項１３】
前記カラーフィルタは、前記ＬＥＤからの光を前記カラーフィルタの各前記着色部に透過させて得られる出射光における青色の色度が、ＣＩＥ１９３１色度図とＣＩＥ１９７６色度図との少なくともいずれか一方において、ＮＴＳＣ規格に係るＮＴＳＣ色度領域とＥＢＵ規格に係るＥＢＵ色度領域との共通領域外に存する構成とされる請求項１から請求項１２のいずれか１項に記載の表示装置。
【請求項１４】
前記カラーフィルタは、前記出射光における前記青色の色度が、前記ＣＩＥ１９３１色度図と前記ＣＩＥ１９７６色度図との少なくともいずれか一方において、前記ＥＢＵ色度領域外に存する構成とされる請求項１３記載の表示装置。
【請求項１５】
前記カラーフィルタは、前記ＬＥＤからの光を前記カラーフィルタの各前記着色部に透過させて得られる出射光における赤色の色度が、ＣＩＥ１９３１色度図とＣＩＥ１９７６色度図との少なくともいずれか一方において、ＮＴＳＣ規格に係るＮＴＳＣ色度領域とＥＢＵ規格に係るＥＢＵ色度領域との共通領域外に存する構成とされる請求項１から請求項１４のいずれか１項に記載の表示装置。
【請求項１６】
前記カラーフィルタは、前記ＬＥＤからの光を前記カラーフィルタの各前記着色部に透過させて得られる出射光における緑色の色度が、ＣＩＥ１９３１色度図とＣＩＥ１９７６色度図との少なくともいずれか一方において、ＮＴＳＣ規格に係るＮＴＳＣ色度領域とＥＢＵ規格に係るＥＢＵ色度領域との共通領域外に存する構成とされる請求項１から請求項１５のいずれか１項に記載の表示装置。
【請求項１７】
前記カラーフィルタは、前記ＬＥＤからの光を前記カラーフィルタの各前記着色部に透過させて得られる出射光における黄色の色度が、ＣＩＥ１９３１色度図とＣＩＥ１９７６色度図との少なくともいずれか一方において、ＮＴＳＣ規格に係るＮＴＳＣ色度領域とＥＢＵ規格に係るＥＢＵ色度領域との共通領域外に存する構成とされる請求項１から請求項１６のいずれか１項に記載の表示装置。
【請求項１８】
前記出射光における色度領域は、ＮＴＳＣ規格に係るＮＴＳＣ色度領域の７０％以上を占めるものとされる請求項１から請求項１７のいずれか１項に記載の表示装置。
【請求項１９】
前記照明装置には、前記ＬＥＤが端部に対して対向状に配される合成樹脂製の導光部材が備えられ、前記ＬＥＤからの光が前記導光部材を透過することで前記表示パネル側へと導かれるものとされる請求項１から請求項１８のいずれか１項に記載の表示装置。
【請求項２０】
前記導光部材は、前記ＬＥＤ側の端部に長手状の光入射面を有しているのに対し、前記ＬＥＤは、その光出射側を覆うとともに光を拡散させるレンズ部材を備えており、
前記レンズ部材は、前記導光部材の前記光入射面と対向し、前記導光部材側に凸となるように、前記光入射面の長手方向に沿って屈曲している請求項１９記載の表示装置。
【請求項２１】
前記照明装置には、前記ＬＥＤと前記導光部材との間に、前記光入射面の長手方向に沿って配される反射シートが備えられている請求項２０記載の表示装置。
【請求項２２】
前記照明装置は、前記ＬＥＤを収容するとともに前記ＬＥＤに対して光出射側とは反対側に配される底部を有するシャーシと、前記底部及び前記ＬＥＤに対して前記光出射側に対向状に配される光学部材とを備えている請求項１から請求項１８のいずれか１項に記載の表示装置。
【請求項２３】
前記ＬＥＤの光出射側には、前記ＬＥＤからの光を拡散させる拡散レンズが配されている請求項２２記載の表示装置。
【請求項２４】
前記表示パネルは、電界印加によって光学特性が変化する物質として液晶を用いた液晶パネルとされる請求項１から請求項２３のいずれか１項に記載の表示装置。
【請求項２５】
請求項１から請求項２４のいずれか１項に記載された表示装置と、テレビ信号を受信可能な受信部とを備えるテレビ受信装置。
【請求項２６】
前記受信部から出力されたテレビ画像信号を、青色、緑色、赤色、黄色の各色の画像信号に変換する画像変換回路を備える請求項２５記載のテレビ受信装置。
【発明の詳細な説明】
【技術分野】
【０００１】
本発明は、表示装置及びテレビ受信装置に関する。
【背景技術】
【０００２】
液晶表示装置の主要部品である液晶パネルは、大まかには一対のガラス基板間に液晶を封止した構成とされ、両ガラス基板のうち、一方側がアクティブ素子であるＴＦＴなどが設けられたアレイ基板とされるのに対し、他方側がカラーフィルタなどが設けられたＣＦ基板とされる。ＣＦ基板におけるアレイ基板と対向する内面には、赤色、緑色、青色の各色に対応した着色部を、アレイ基板の各画素に対応して多数個並列してなるカラーフィルタが形成されており、各着色部間には、混色を防ぐための遮光層が設置されている。バックライトから照射され、液晶を透過した光は、カラーフィルタをなす赤色、緑色、青色の各着色部に対応した所定の波長のみが選択的に透過されることで、液晶パネルに画像が表示されるようになっている。【０００３】
ところで、液晶表示装置の表示品位を高めるには、例えば色再現性を高めるのが有効であり、そのためカラーフィルタに用いる着色部に赤色、緑色、青色の光の三原色にさらに別の色として例えばシアン色（緑青色）を追加する場合があり、その一例が下記特許文献１に記載されている。
【先行技術文献】
【特許文献】
【０００４】
【特許文献１】特開２００６−５８３３２号公報
【０００５】
（発明が解決しようとする課題）
しかしながら、上記のようにカラーフィルタの着色部に光の三原色とは別の色を追加すると、表示画像が追加した色の色味を帯び易くなるという問題が生じるおそれがある。それを回避するには、例えば液晶パネルの各画素に対応する各ＴＦＴの駆動を制御して各着色部の透過光量を制御することで、表示画像の色度を補正することが考えられるものの、それでは色度の補正に伴って透過光量が減少しがちとなるため、輝度低下を生じさせる可能性がある。【０００６】
上記問題に鑑み、本願発明者は、鋭意研究を重ねた結果、次のような知見を得るに至った。すなわち、本願発明者は、液晶パネルに光を照射するバックライト装置に備えられる光源の色度を調整すれば、輝度低下を招くことなく、表示画像の色度を補正することができる、と推考したのである。しかし、そもそも上記した多原色タイプの液晶パネルにおいて三原色以外に追加する色としてシアン色以外にも検討の余地はあり、さらにはその場合に色度調整を行う光源としてどのような光源を用いるのが好ましいのかについて未だ十分な検討が行われていない、というのが実情であった。
【発明の概要】
【０００７】
本発明は上記のような事情に基づいて完成されたものであって、高い輝度を得つつも表示画像の色度を適切に補正することを目的とする。
【０００８】
（課題を解決するための手段）
本発明の表示装置は、一対の基板間に電界印加によって光学特性が変化する物質を設けてなる表示パネルと、前記表示パネルに向けて光を照射する照明装置とを備え、前記表示パネルにおける前記一対の基板のいずれか一方に、それぞれ青色、緑色、赤色、黄色を呈する複数の着色部からなるカラーフィルタが形成されているのに対し、前記照明装置は、光源としてＬＥＤを備えており、前記ＬＥＤは、発光源であるＬＥＤ素子と、前記ＬＥＤ素子からの光により励起されて発光する蛍光体とを備え、前記蛍光体には、少なくともＹＡＧ系蛍光体が含まれている。
【０００９】
このように、表示パネルにおける一対の基板のいずれか一方には、カラーフィルタが形成されており、このカラーフィルタには、光の三原色である青色、緑色、赤色の各着色部に加えて黄色の着色部が含まれているから、人間の目に知覚される色再現範囲、つまり色域を拡張することができるとともに、自然界に存在する物体色の色再現性を高めることができ、もって表示品位を向上させることができる。しかも、カラーフィルタを構成する着色部のうち、黄色の着色部を透過した光は、視感度のピークに近い波長を有するため、人間の目には少ないエネルギーでも明るく、つまり高い輝度であるように知覚される傾向とされる。これにより、光源の出力を抑制しても十分な輝度を得ることができることとなり、光源の低消費電力化を図ることができて環境性能に優れる、という効果を得ることができる。言い換えると、上記のように高い輝度が得られることから、それを利用して鮮やかなコントラスト感を得ることができ、表示品位の一層の向上を図ることも可能とされるのである。
【００１０】
その一方、カラーフィルタに黄色の着色部を含ませると、表示パネルからの出射光、つまり表示画像が全体として黄色味を帯び易くなる傾向とされる。これを回避するには、例えば各着色部の透過光量を制御することで表示画像の色度の補正を図る手法を採ることが考えられるが、それでは色度の補正に伴って透過光量が減少しがちとなるため、輝度低下を生じさせるおそれがある。そこで、本願発明者は、鋭意研究を重ねた結果、照明装置に用いる光源における色度を調整することで、輝度低下を招くことなく、表示画像における色度を補正することができる、という知見を得るに至った。その上で、本発明では、光源としてＬＥＤを用いるようにしている。ＬＥＤは、冷陰極管などの他の光源に比べると、黄色の着色部を有する表示パネルに対応して色度を調整した場合、例えば分光特性の相性が良好であるなどの理由から、相対的に高い輝度を維持することができるのである。これにより、輝度低下を招くことなく表示画像の色度を適切に補正することができる。
【００１１】
その上で、本願発明者は、光源に用いるＬＥＤの構成についてさらなる研究を重ねた結果、より高い輝度が得られるＬＥＤを特定するに至った。すなわち、本発明では、発光源であるＬＥＤ素子と、ＬＥＤ素子からの光により励起されて発光する蛍光体とからなるＬＥＤを用い、且つ蛍光体に少なくともＹＡＧ系蛍光体を含ませるようにしているので、仮にＹＡＧ系蛍光体ではない他の種類の蛍光体（例えば、β−ＳｉＡｌＯＮなど）を用いた場合に比べて、ＬＥＤ自身の輝度を高めることができるとともに、出射光における輝度を高くすることができる。しかも、本発明では、既述した通り表示パネルにおけるカラーフィルタに黄色の着色部を含ませることで、高い輝度及び色再現性を得るようにしていることから、上記した構成の高輝度なＬＥＤと組み合わせることで、出射光のさらなる高輝度化を図ることができる、という相乗効果が得られるものとされる。このことは、ＬＥＤの出力を抑制しても十分な輝度を得ることができることを意味し、それによりＬＥＤのさらなる低消費電力化を図ることができて環境性能に一層優れる、という効果をも得ることができるのである。
【００１２】
なお、ＹＡＧ系蛍光体は、イットリウムとアルミニウムの複合酸化物からなるガーネット構造を有するものであり、化学式：Ｙ3Ａｌ5Ｏ12により表されるとともに、付活剤として希土類元素（例えばＣｅ，Ｔｂ，Ｅｕ，Ｎｄなど）が用いられる。また、ＹＡＧ系蛍光体は、化学式：Ｙ3Ａｌ5Ｏ12におけるＹサイトの一部または全部を例えばＧｄ，Ｔｂなどに置換したり、Ａｌサイトの一部を例えばＧａなどに置換することが可能であり、それによりＹＡＧ系蛍光体における主発光波長を適宜調整することが可能とされる。
【００１３】
具体的なＹＡＧ系蛍光体としては、例えば、Ｙ3Ａｌ5Ｏ12：Ｃｅ、Ｙ3Ａｌ5Ｏ12：Ｔｂ、（Ｙ，Ｇｄ）3Ａｌ5Ｏ12：Ｃｅ、Ｙ3（Ａｌ，Ｇａ）5Ｏ12：Ｃｅ、Ｙ3（Ａｌ，Ｇａ）5Ｏ12：Ｔｂ、（Ｙ，Ｇｄ）3（Ａｌ，Ｇａ）5Ｏ12：Ｃｅ、（Ｙ，Ｇｄ）3（Ａｌ，Ｇａ）5Ｏ12：Ｔｂ、Ｔｂ3Ａｌ5Ｏ12：Ｃｅなどが挙げられる。
【００１４】
本発明の実施態様として、次の構成が好ましい。
（１）前記ＹＡＧ系蛍光体は、主発光波長が５００ｎｍ〜５７０ｎｍの範囲とされる。このようにすれば、仮に、ＹＡＧ系蛍光体における主発光波長が５００ｎｍを下回る場合、つまりシアン色や青色の波長領域とされる場合には、十分な輝度が得られなくなるおそれがあり、またＬＥＤ素子として青色光を発するものを用いたときの色度調整が極めて困難になるおそれがある。一方、ＹＡＧ系蛍光体における主発光波長が５７０ｎｍを上回る場合、つまり黄色や赤色の波長領域とされる場合には、やはり十分な輝度が得られなくなるおそれがあり、また黄色の着色部を含むカラーフィルタを備える表示パネルに対応してＬＥＤの色度を調整するのが極めて困難になるおそれがある。その点、本発明では、ＹＡＧ系蛍光体として主発光波長が緑色の波長領域に存するものを用いることで、色度調整を容易なものとしつつも高い輝度及び色再現性を得ることができる。
【００１５】
（２）前記ＹＡＧ系蛍光体は、主発光波長が５１９ｎｍ〜５５４ｎｍの範囲とされる。このようにすれば、仮に、ＹＡＧ系蛍光体における主発光波長が５１９ｎｍを下回る場合には、十分な輝度が得られなくなるおそれがあるのに加えて、主発光波長がシアン色側（青色側）に偏るため、ＬＥＤ素子として青色光を発するものを用いたときの色度調整が難しくなるおそれがある。一方、ＹＡＧ系蛍光体における主発光波長が５５４ｎｍを上回る場合には、やはり十分な輝度が得られなくなるおそれがあるのに加えて、主発光波長が黄色側（赤色側）に偏るため、黄色の着色部を含むカラーフィルタを備える表示パネルに対応してＬＥＤの色度を調整するのが難しくなるおそれがある。その点、本発明では、ＹＡＧ系蛍光体として主発光波長が５１９ｎｍ〜５５４ｎｍの範囲とされるものを用いることで、ＬＥＤの色度調整の容易性を担保しつつも十分に高い輝度及び色再現性を得ることができる。
【００１６】
（３）前記ＹＡＧ系蛍光体は、主発光波長が５１９ｎｍ〜５３９ｎｍの範囲とされる。このようにすれば、仮に、ＹＡＧ系蛍光体における主発光波長が５３９ｎｍを上回る場合には、相対的に輝度が低下し、さらには蛍光体に赤色光を発光する赤色蛍光体を加えて色再現性の向上を図ろうとしたときの色度調整が困難になるおそれがある。その点、本発明では、ＹＡＧ系蛍光体として主発光波長が５１９ｎｍ〜５３９ｎｍの範囲とされるものを用いることで、一層の輝度の向上を図ることができるのに加え、例えば蛍光体に赤色光を発光する赤色蛍光体を加えて色再現性の向上を図りつつも色度調整の容易性を担保することが可能とされる。
【００１７】
（４）前記ＹＡＧ系蛍光体は、主発光波長が５３９ｎｍとされる。このようにすれば、仮に、ＹＡＧ系蛍光体における主発光波長が５３９ｎｍを下回る場合に比べて、相対的にさらに高い輝度を得ることができ、また十分な色再現性が得られる。
【００１８】
（５）前記ＹＡＧ系蛍光体は、主発光波長が５１９ｎｍとされる。このようにすれば、仮に、ＹＡＧ系蛍光体における主発光波長が５１９ｎｍを上回る場合に比べて、相対的に高い色再現性を得ることができ、また十分な輝度が得られる。
【００１９】
（６）前記蛍光体には、前記ＬＥＤ素子から発せられる光により励起されて赤色光を発する赤色蛍光体が含まれている。このようにすれば、赤色蛍光体を、主発光波長が５１９ｎｍ〜５３９ｎｍの範囲とされるＹＡＧ系蛍光体と組み合わせて用いることで、色度調整の容易性を担保しつつ、より高い色再現性を得ることができる。
【００２０】
（７）前記赤色蛍光体は、カズン系蛍光体からなる。このように、赤色蛍光体として窒化物であるカズン系蛍光体を用いているので、例えば硫化物や酸化物からなる赤色蛍光体を用いた場合に比べて、高い効率でもって赤色光を発することができる。
【００２１】
（８）前記赤色蛍光体は、カズン（ＣａＡｌＳｉＮ3：Ｅｕ）からなる。このようにすれば、高い効率でもって赤色光を発することができる。
【００２２】
（９）赤色を呈する前記着色部は、青色を呈する前記着色部及び緑色を呈する前記着色部よりも膜厚が相対的に大きいものとされる。このように、赤色を呈する着色部の膜厚を、青色を呈する着色部及び緑色を呈する着色部の膜厚よりも相対的に大きくすると、仮に上記各着色部の膜厚を同一とした場合に比べて、赤色に属する光の透過光量は減少するものの、出射光における赤色に属する色度領域が拡張される。これにより、一層高い色再現性を得ることができる。
【００２３】
（１０）青色を呈する前記着色部及び緑色を呈する前記着色部は、互いに膜厚がほぼ同じとされる。このようにすれば、青色を呈する着色部及び緑色を呈する着色部に関しては、両基板間に形成される静電容量がほぼ等しいものとされるから、両基板間に設けられる物質の光学特性を電界印加によって容易に制御することができる。これにより、青色を呈する着色部及び緑色を呈する着色部に対する光の透過率を容易に制御することができ、もって表示パネルに係る回路設計を簡素なものとすることができる。
【００２４】
（１１）黄色を呈する前記着色部は、青色を呈する前記着色部及び緑色を呈する前記着色部と膜厚がほぼ同じとされる。このようにすれば、青色を呈する着色部及び緑色を呈する着色部に加えて、黄色を呈する着色部に関しても、両基板間に形成される静電容量がほぼ等しいものとなるから、表示パネルに係る回路設計をより簡素なものとすることができる。
【００２５】
（１２）赤色を呈する前記着色部は、その膜厚が青色を呈する前記着色部及び緑色を呈する前記着色部の膜厚の２５０％以下の大きさとされる。仮に青色を呈する着色部及び緑色を呈する着色部の膜厚に対する赤色を呈する着色部の膜厚の比率を２５０％よりも大きくすると、両基板間に形成される静電容量が青色を呈する着色部及び緑色を呈する着色部と、赤色を呈する着色部とで大きく乖離し過ぎることとなるため、両基板間に設けられる物質の光学特性を電界印加によって適切に制御できなくなるおそれがある。従って、本発明のように上記膜厚の比率を２５０％以下の大きさとすることで、両基板間に設けられる物質の光学特性を電界印加によって適切に制御できるとともに、高い色再現性を得ることができる。
【００２６】
（１３）赤色を呈する前記着色部は、その膜厚が青色を呈する前記着色部及び緑色を呈する前記着色部の膜厚の１４２．８％〜２１４．３％の範囲の大きさとされる。仮に青色を呈する着色部及び緑色を呈する着色部の膜厚に対する赤色を呈する着色部の膜厚の比率を１４２．８％よりも小さくすると、膜厚の差が小さくなり過ぎるため、出射光における赤色に属する色度領域が十分に拡張されず、色再現性の向上効果を十分に得ることができなくなるおそれがある。一方、仮に上記膜厚の比率を２１４．３％よりも大きくすると、上記した静電容量上の問題が生じ易くなる可能性がある。その点、本発明では、上記した膜厚の比率を１４２．８％〜２１４．３％の範囲とすることで、両基板間に設けられる物質の光学特性を電界印加によってより適切に制御できるとともに、より高い色再現性を得ることができる。
【００２７】
（１４）青色を呈する前記着色部及び緑色を呈する前記着色部は、その膜厚が２．１μｍとされるのに対し、赤色を呈する前記着色部は、その膜厚が３．０μｍ〜４．５μｍの範囲とされる。各着色部の膜厚を上記のような設定とすることで、両基板間に設けられる物質の光学特性を電界印加によってさらに適切に制御できるとともに、より一層高い色再現性を得ることができる。
【００２８】
（１５）各前記着色部は、互いに膜厚がほぼ同じとされる。このようにすれば、カラーフィルタを構成する各着色部において、両基板間に形成される静電容量がほぼ等しいものとされるから、両基板間に設けられる物質の光学特性を電界印加によってより容易に制御することができる。これにより、各着色部に対する光の透過率をより容易に制御することができ、もって表示パネルに係る回路設計を極めて簡素なものとすることができる。
【００２９】
（１６）各前記着色部は、顔料を分散配合してなり、赤色を呈する前記着色部は、青色を呈する前記着色部及び緑色を呈する前記着色部よりも顔料濃度が高いものとされる。このように、赤色を呈する着色部に含まれる顔料の濃度を、青色を呈する着色部及び緑色を呈する着色部に含まれる各顔料の濃度よりも相対的に高くすると、仮に上記各着色部の顔料濃度を同一とした場合に比べて、出射光における赤色に属する光の透過光量は減少するものの、赤色に属する色度領域が拡張される。これにより、高い色再現性を得ることができる。
【００３０】
（１７）各前記着色部は、互いに膜厚がほぼ同じとされる。このようにすれば、カラーフィルタを構成する各着色部において、両基板間に形成される静電容量がほぼ等しいものとされるから、両基板間に設けられる物質の光学特性を電界印加によってより容易に制御することができる。これにより、各着色部に対する光の透過率をより容易に制御することができ、もって高い色再現性を得つつも表示パネルに係る回路設計を極めて簡素なものとすることができる。
【００３１】
（１８）前記ＹＡＧ系蛍光体は、主発光波長が５５４ｎｍとされる。このようにすれば、仮に、ＹＡＧ系蛍光体における主発光波長が５５４ｎｍを下回る場合に比べると、主発光波長が黄色側（赤色側）にシフトしていることから、蛍光体として赤色光を発する赤色蛍光体を追加することなく、色度調整を行うことが可能とされ、それにより例えば低コストでの製造などが可能となる。
【００３２】
（１９）前記ＬＥＤ素子は、主発光波長が４２０ｎｍ〜５００ｎｍの範囲とされる。このようにすれば、光の三原色に加えて黄色の着色部を有する表示パネルにおける表示画像の色度を補正するには、ＬＥＤからの光を、黄色の補色である青色味を帯びた色の光に調整するのが好ましい。その点、本発明に係るＬＥＤでは、青色の波長領域の光（青色光）を発するＬＥＤ素子を用いているから、青色光を極めて高い効率でもって発することができる。従って、ＬＥＤの色度を青色味を帯びた光に調整するに際しても、輝度が低下し難く、もって高い輝度を維持することができる。
【００３３】
（２０）前記ＬＥＤ素子は、主発光波長が４５１ｎｍとされる。このようにすれば、ＹＡＧ系蛍光体を高効率でもって励起することができるので、より高い輝度を得ることができる。
【００３４】
（２１）各前記着色部における面積比率は、互いに等しいものとされる。仮に、出射光における青色の色度を制御すべく、各着色部の面積比率を異ならせた場合には、表示パネルを製造するための製造装置として専用設計の特殊なものを用意する必要がある。これに比べて、本発明では、一般的な赤色、緑色、青色の３色の着色部からなるカラーフィルタを有する表示パネルと同様に、４色の各着色部の面積比率を等しいものとしているので、上記した３色タイプの表示パネルを製造するのに用いられる製造装置を利用することが可能とされる。これにより、４色の着色部からなるカラーフィルタを有する表示パネルに係る製造コストを十分に低いものとすることができる。
【００３５】
（２２）前記カラーフィルタは、前記ＬＥＤからの光を前記カラーフィルタの各前記着色部に透過させて得られる出射光における青色の色度が、ＣＩＥ１９３１色度図とＣＩＥ１９７６色度図との少なくともいずれか一方において、ＮＴＳＣ規格に係るＮＴＳＣ色度領域とＥＢＵ規格に係るＥＢＵ色度領域との共通領域外に存する構成とされる。このようにすれば、出射光における青色に属する色度領域に共通領域を概ね含ませることができるので、十分な色再現性を確保することができる。
【００３６】
なお、上記した「ＮＴＳＣ規格に係るＮＴＳＣ色度領域」とは、ＣＩＥ１９３１色度図においては、（ｘ，ｙ）の値が、（０．１４，０．０８）、（０．２１，０．７１）、（０．６７，０．３３）の三点を頂点とする三角形内の領域であり、ＣＩＥ１９７６色度図においては、（ｕ′，ｖ′）の値が、（０．０７５７，０．５７５７）、（０．１５２２，０．１９５７）、（０．４７６９，０．５２８５）の三点を頂点とする三角形内の領域である。
【００３７】
また、上記した「ＥＢＵ規格に係るＥＢＵ色度領域」とは、ＣＩＥ１９３１色度図においては、（ｘ，ｙ）の値が、（０．１５，０．０６）、（０．３，０．６）、（０．６４，０．３３）の三点を頂点とする三角形内の領域であり、ＣＩＥ１９７６色度図においては、（ｕ′，ｖ′）の値が、（０．１２５０，０．５６２５）、（０．１７５４，０．１５７９）、（０．４５０７，０．５２２９）の三点を頂点とする三角形内の領域である。
【００３８】
また、上記した「共通領域」とは、ＣＩＥ１９３１色度図においては、（ｘ，ｙ）の値が、（０．１５７９，０．０８８４）、（０．３，０．６）、（０．４６１６，０．２３１７）、（０．６４，０．３３）の四点を頂点とする四角形内の領域であり、ＣＩＥ１９７６色度図においては、（ｕ′，ｖ′）の値が、（０．１２５，０．５６２５）、（０．１６８６，０．２１２５）、（０．３８０１，０．４２９３）、（０．４５０７，０．５２２９）の四点を頂点とする四角形内の領域である。
【００３９】
（２３）前記カラーフィルタは、前記出射光における前記青色の色度が、前記ＣＩＥ１９３１色度図と前記ＣＩＥ１９７６色度図との少なくともいずれか一方において、前記ＥＢＵ色度領域外に存する構成とされる。このようにすれば、出射光における青色に属する色度領域がより拡張されるので、色再現性をより向上させることができる。
【００４０】
（２４）前記カラーフィルタは、前記ＬＥＤからの光を前記カラーフィルタの各前記着色部に透過させて得られる出射光における赤色の色度が、ＣＩＥ１９３１色度図とＣＩＥ１９７６色度図との少なくともいずれか一方において、ＮＴＳＣ規格に係るＮＴＳＣ色度領域とＥＢＵ規格に係るＥＢＵ色度領域との共通領域外に存する構成とされる。このようにすれば、出射光における赤色に属する色度領域に共通領域を概ね含ませることができるので、十分な色再現性を確保することができる。
【００４１】
（２５）前記カラーフィルタは、前記ＬＥＤからの光を前記カラーフィルタの各前記着色部に透過させて得られる出射光における緑色の色度が、ＣＩＥ１９３１色度図とＣＩＥ１９７６色度図との少なくともいずれか一方において、ＮＴＳＣ規格に係るＮＴＳＣ色度領域とＥＢＵ規格に係るＥＢＵ色度領域との共通領域外に存する構成とされる。このようにすれば、出射光における緑色に属する色度領域に共通領域を概ね含ませることができるので、十分な色再現性を確保することができる。
【００４２】
（２６）前記カラーフィルタは、前記ＬＥＤからの光を前記カラーフィルタの各前記着色部に透過させて得られる出射光における黄色の色度が、ＣＩＥ１９３１色度図とＣＩＥ１９７６色度図との少なくともいずれか一方において、ＮＴＳＣ規格に係るＮＴＳＣ色度領域とＥＢＵ規格に係るＥＢＵ色度領域との共通領域外に存する構成とされる。このようにすれば、出射光における黄色に属する色度領域に共通領域を概ね含ませることができるので、十分な色再現性を確保することができる。
【００４３】
（２７）前記出射光における色度領域は、ＮＴＳＣ規格に係るＮＴＳＣ色度領域の７０％以上を占めるものとされる。このようにすれば、画像を表示する上で十分な色再現性を確保することができ、良好な表示品質を得ることができる。
【００４４】
（２８）前記照明装置には、前記ＬＥＤが端部に対して対向状に配される合成樹脂製の導光部材が備えられ、前記ＬＥＤからの光が前記導光部材を透過することで前記表示パネル側へと導かれるものとされる。このようにすれば、一般的に合成樹脂製の導光部材は、高い透明性を有するものの、僅かながらも黄色味を帯びている場合が多く、その場合には、ＬＥＤから発せられた光が導光部材を透過すると、その透過光も僅かに黄色味を帯びたものとなる。このような場合でも、黄色の着色部を有する表示パネルに加えて黄色味を帯びた導光部材に対応してＬＥＤの色度を調整することで、輝度低下を招くことなく表示画像の色度を適切に補正することができる。
【００４５】
（２９）前記導光部材は、前記ＬＥＤ側の端部に長手状の光入射面を有しているのに対し、前記ＬＥＤは、その光出射側を覆うとともに光を拡散させるレンズ部材を備えており、前記レンズ部材は、前記導光部材の前記光入射面と対向し、前記導光部材側に凸となるように、前記光入射面の長手方向に沿って屈曲している。このようにすれば、ＬＥＤから出射された光が、レンズ部材によって光入射面の長手方向に広がるので、導光部材の光入射面に形成され得る暗部を低減することができる。従って、ＬＥＤと導光部材との間の距離が短く、かつ、ＬＥＤの数が少ない場合であっても、導光部材の光入射面の全体に亘って均一な輝度の光を入射させることができる。
【００４６】
（３０）前記照明装置には、前記ＬＥＤと前記導光部材との間に、前記光入射面の長手方向に沿って配される反射シートが備えられている。このようにすれば、レンズ部材から導光部材の外へ散乱した光を、反射シートによって反射して導光部材に入射させることが可能となる。このため、ＬＥＤから出射された光の、導光部材への入射効率を高めることができる。
【００４７】
（３１）前記照明装置は、前記ＬＥＤを収容するとともに前記ＬＥＤに対して光出射側とは反対側に配される底部を有するシャーシと、前記底部及び前記ＬＥＤに対して前記光出射側に対向状に配される光学部材とを備えている。このようにすれば、ＬＥＤから発せられた光は、底部及びＬＥＤに対して光出射側に対向状に配される光学部材に照射され、光学部材を透過してから表示パネルへと出射される。
【００４８】
（３２）前記ＬＥＤの光出射側には、前記ＬＥＤからの光を拡散させる拡散レンズが配されている。このようにすれば、ＬＥＤから発せられた光を拡散レンズにより拡散させつつ出射させることができる。これにより、出射光にムラが生じ難くなるので、ＬＥＤの設置数を削減することが可能となり、もって低コスト化を図ることができる。
【００４９】
（３３）前記表示パネルは、電界印加によって光学特性が変化する物質として液晶を用いた液晶パネルとされる。このようにすれば、種々の用途、例えばテレビやパソコンのディスプレイ等に適用でき、特に大型画面用として好適である。
【００５０】
次に、上記課題を解決するために、本発明のテレビ受信装置は、上記記載の表示装置と、テレビ信号を受信可能な受信部とを備える。
【００５１】
このようなテレビ受信装置によると、テレビ信号に基づいてテレビ画像を表示する表示装置が、高い輝度を得つつも表示画像の色度を適切に補正することができるものであるから、テレビ画像の表示品質を優れたものとすることができる。
【００５２】
しかも、上記したテレビ受信装置は、前記受信部から出力されたテレビ画像信号を、赤色、緑色、青色、黄色の各色の画像信号に変換する画像変換回路を備える。このようにすれば、画像変換回路によりテレビ画像信号を、カラーフィルタを構成する、赤色、緑色、青色、黄色の各着色部に対応付けた各色の画像信号に変換しているから、高い表示品位でもってテレビ画像を表示することができる。
【００５３】
（発明の効果）
本発明によれば、高い輝度を得つつも表示画像の色度を適切に補正することができる。
【図面の簡単な説明】
【００５４】
【図１】本発明の実施形態１に係るテレビ受信装置の概略構成を示す分解斜視図
【図２】テレビ受信装置が備える液晶表示装置の概略構成を示す分解斜視図
【図３】液晶パネルの長辺方向に沿った断面構成（比較例５及び実施例１，２，６に係る各着色部の断面構成）を示す断面図
【図４】アレイ基板の平面構成を示す拡大平面図
【図５】ＣＦ基板の平面構成を示す拡大平面図
【図６】液晶表示装置の短辺方向に沿った断面構成を示す断面図
【図７】液晶表示装置の長辺方向に沿った断面構成を示す断面図
【図８】ＬＥＤ基板の拡大斜視図
【図９】冷陰極管における色度と輝度との関係を示すＣＩＥ１９３１色度図
【図１０】ＬＥＤにおける色度と輝度との関係を示すＣＩＥ１９３１色度図
【図１１】各緑色蛍光体における発光スペクトルを表すグラフ
【図１２】表２，表３における各色度座標を示したＣＩＥ１９３１色度図
【図１３】表２，表３における各色度座標を示したＣＩＥ１９７６色度図
【図１４】実施例３〜５，７〜９に係る各着色部の断面構成を示す断面図
【図１５】本発明の実施形態２に係る各着色部の断面構成を示す断面図
【図１６】本発明の実施形態３に係る液晶表示装置の分解斜視図
【図１７】液晶表示装置の水平断面図
【図１８】本発明の実施形態４に係る液晶表示装置の分解斜視図
【図１９】液晶表示装置に備わるシャーシにおける拡散レンズ、ＬＥＤ基板、第１反射シート及び保持部材の配置構成を示す平面図
【図２０】液晶表示装置における図１９のxx-xx線断面図
【図２１】液晶表示装置における図１９のxxi-xxi線断面図
【図２２】拡散レンズ、ＬＥＤ基板及び保持部材の詳しい配置構成を示す平面図
【図２３】図２２のxxiii-xxiii線断面図
【図２４】図２２のxxiv-xxiv線断面図
【図２５】本発明の他の実施形態（１）に係る各着色部の断面構成を示す断面図
【図２６】本発明の他の実施形態（２）に係る各着色部の断面構成を示す断面図
【図２７】本発明の他の実施形態（３）に係るＣＦ基板の平面構成を示す拡大平面図
【図２８】本発明の他の実施形態（４）に係るＣＦ基板の平面構成を示す拡大平面図
【発明を実施するための形態】
【００５５】
＜実施形態１＞
本発明の実施形態１を図１から図１４によって説明する。本実施形態では、液晶表示装置１０について例示する。なお、各図面の一部にはＸ軸、Ｙ軸及びＺ軸を示しており、各軸方向が各図面で示した方向となるように描かれている。また、図６及び図７に示す上側を表側とし、同図下側を裏側とする。
【００５６】
本実施形態に係るテレビ受信装置ＴＶは、図１に示すように、液晶表示装置１０と、当該液晶表示装置１０を挟むようにして収容する表裏両キャビネットＣａ，Ｃｂと、電力供給のための電源回路基板Ｐと、テレビ画像信号を受信可能なチューナー（受信部）Ｔと、チューナーＴから出力されたテレビ画像信号を当該液晶表示装置１０用の画像信号に変換する画像変換回路基板ＶＣと、スタンドＳとを備えて構成される。液晶表示装置（表示装置）１０は、全体として横長（長手）の方形状（矩形状）をなし、長辺方向を水平方向（Ｘ軸方向）と、短辺方向を垂直方向（Ｙ軸方向、鉛直方向）とそれぞれほぼ一致させた状態で収容されている。この液晶表示装置１０は、図２に示すように、表示パネルである液晶パネル１１と、外部光源であるバックライト装置（照明装置）１２とを備え、これらが枠状のベゼル１３などにより一体的に保持されるようになっている。
【００５７】
液晶表示装置１０における液晶パネル１１の構成について詳しく説明する。液晶パネル１１は、全体として横長（長手）の方形状（矩形状）をなしており、図３に示すように、一対の透明な（透光性を有する）ガラス製の基板１１ａ，１１ｂと、両基板１１ａ，１１ｂ間に介在し、電界印加に伴って光学特性が変化する物質である液晶を含む液晶層１１ｃとを備え、両基板１１ａ，１１ｂが液晶層の厚さ分のギャップを維持した状態で図示しないシール剤によって貼り合わせられている。また、両基板１１ａ，１１ｂの外面側には、それぞれ偏光板１１ｄ，１１ｅが貼り付けられている。なお、液晶パネル１１における長辺方向がＸ軸方向と一致し、短辺方向がＹ軸方向と一致している。
【００５８】
両基板１１ａ，１１ｂのうち表側（正面側）がＣＦ基板１１ａとされ、裏側（背面側）がアレイ基板１１ｂとされる。アレイ基板１１ｂの内面、つまり液晶層１１ｃ側（ＣＦ基板１１ａとの対向面側）の面には、図４に示すように、スイッチング素子であるＴＦＴ（Thin Film Transistor）１４及び画素電極１５がマトリクス状に多数個並列して設けられるとともに、これらＴＦＴ１４及び画素電極１５の周りには、格子状をなすゲート配線１６及びソース配線１７が取り囲むようにして配設されている。画素電極１５は、長辺方向をＹ軸方向に、短辺方向をＸ軸方向にそれぞれ一致させた縦長（長手）の方形状（矩形状）をなしており、ＩＴＯ（Indium Tin Oxide）或いはＺｎＯ（Zinc Oxide）といった透明電極からなる。ゲート配線１６とソース配線１７とがそれぞれＴＦＴ１４のゲート電極とソース電極とに接続され、画素電極１５がＴＦＴ１４のドレイン電極に接続されている。また、ＴＦＴ１４及び画素電極１５の液晶層１１ｃ側には、液晶分子を配向するための配向膜１８が設けられている。アレイ基板１１ｂにおける端部には、ゲート配線１６及びソース配線１７から引き回された端子部が形成されており、この端子部には、図示しない液晶駆動用のドライバＩＣが異方性導電膜（ACF:Anisotropic Conductive Film）を介して圧着接続され、さらにはその液晶駆動用のドライバＩＣが各種配線基板などを介して図示しない表示制御回路基板に電気的に接続されている。この表示制御回路基板は、テレビ受信装置ＴＶにおける画像変換回路基板ＶＣに接続されるとともに同画像変換回路基板ＶＣからの出力信号に基づいてドライバＩＣを介して各配線１６，１７に駆動信号を供給するものとされる。
【００５９】
一方、ＣＦ基板１１ａの内面、つまり液晶層１１ｃ側（アレイ基板１１ｂとの対向面側）の面には、図３及び図５に示すように、アレイ基板１１ｂ側の各画素に対応して多数個の着色部Ｒ，Ｇ，Ｂ，Ｙをマトリクス状に配列してなるカラーフィルタ１９が設けられている。そして、本実施形態に係るカラーフィルタ１９は、光の三原色である赤色の着色部Ｒ，緑色の着色部Ｇ，青色の着色部Ｂに加えて、黄色の着色部Ｙを有するものとされ、各着色部Ｒ，Ｇ，Ｂ，Ｙが対応した各色（各波長）の光を選択的に透過するものとされる。カラーフィルタ１９は、図５に示す左側から赤色の着色部Ｒ、緑色の着色部Ｇ、黄色の着色部Ｙ、青色の着色部Ｂの順でＸ軸方向に沿って並ぶ配列とされる。各着色部Ｒ，Ｇ，Ｂ，Ｙは、画素電極１５と同様に長辺方向をＹ軸方向に、短辺方向をＸ軸方向にそれぞれ一致させた縦長（長手）の方形状（矩形状）をなしており、各色で全て面積が同一とされている。各着色部Ｒ，Ｇ，Ｂ，Ｙ間には、混色を防ぐため、格子状の遮光層（ブラックマトリクス）ＢＭが設けられている。ＣＦ基板１１ａにおけるカラーフィルタ１９の液晶層１１ｃ側には、対向電極２０及び配向膜２１が順次積層して設けられている。
【００６０】
上記のように本実施形態に係る液晶表示装置１０は、４色の着色部Ｒ，Ｇ，Ｂ，Ｙからなるカラーフィルタ１９を備える液晶パネル１１を用いていることから、テレビ受信装置ＴＶにおいては専用の画像変換回路基板ＶＣを備えるものとされる。すなわち、この画像変換回路基板ＶＣは、チューナーＴから出力されたテレビ画像信号を青色、緑色、赤色、黄色の各色の画像信号に変換し、生成された各色の画像信号を表示制御回路基板に出力することができる。この画像信号に基づいて表示制御回路基板は、液晶パネル１１における各色の画素に対応したＴＦＴ１４を駆動し、各色の着色部Ｒ，Ｇ，Ｂ，Ｙを透過する透過光量を適宜制御できるものとされる。
【００６１】
続いて、バックライト装置１２の構成について説明する。バックライト装置１２は、図２に示すように、光出射面側（液晶パネル１１側）に向けて開口する開口部を有した略箱型をなすシャーシ２２と、シャーシ２２の開口部を覆う形で配される光学部材２３群（拡散板（光拡散部材）２３ａと、拡散板２３ａと液晶パネル１１との間に配される複数の光学シート２３ｂ）とを備える。さらに、シャーシ２２内には、光源であるＬＥＤ２４（Light Emitting Diode：発光ダイオード）と、ＬＥＤ２４が実装されたＬＥＤ基板２５と、ＬＥＤ２４からの光を導光して光学部材２３（液晶パネル１１）へと導く導光部材２６と、導光部材２６を表側から押さえるフレーム２７とが備えられる。そして、このバックライト装置１２は、その長辺側の両端部にＬＥＤ２４を有するＬＥＤ基板２５をそれぞれ備えるとともに、両ＬＥＤ基板２５間に挟まれた中央側に導光部材２６を配置してなる、いわゆるエッジライト型（サイドライト型）とされている。以下では、バックライト装置１２の各構成部品について詳しく説明する。
【００６２】
シャーシ２２は、金属製とされ、図６及び図７に示すように、液晶パネル１１と同様に横長の方形状をなす底板２２ａと、底板２２ａの各辺の外端からそれぞれ立ち上がる側板２２ｂとからなり、全体としては表側に向けて開口した浅い略箱型をなしている。シャーシ２２（底板２２ａ）は、その長辺方向がＸ軸方向（水平方向）と一致し、短辺方向がＹ軸方向（鉛直方向）と一致している。また、側板２２ｂには、フレーム２７及びベゼル１３がねじ止め可能とされる。
【００６３】
光学部材２３は、図２に示すように、液晶パネル１１及びシャーシ２２と同様に平面に視て横長の方形状をなしている。光学部材２３は、導光部材２６の表側（光出射側）に載せられていて液晶パネル１１と導光部材２６との間に介在して配される。光学部材２３は、裏側（導光部材２６側、光出射側とは反対側）に配される拡散板２３ａと、表側（液晶パネル１１側、光出射側）に配される光学シート２３ｂとから構成される。拡散板２３ａは、所定の厚みを持つほぼ透明な樹脂製で板状をなす基材内に拡散粒子を多数分散して設けた構成とされ、透過する光を拡散させる機能を有する。光学シート２３ｂは、拡散板２３ａと比べると板厚が薄いシート状をなしており、３枚が積層して配されている。具体的な光学シート２３ｂの種類としては、例えば拡散シート、レンズシート、反射型偏光シートなどがあり、これらの中から適宜に選択して使用することが可能である。
【００６４】
フレーム２７は、図２に示すように、導光部材２６の外周端部に沿って延在する枠状（額縁状）に形成されており、導光部材２６の外周端部をほぼ全周にわたって表側から押さえることが可能とされる。このフレーム２７は、合成樹脂製とされるとともに、表面が例えば黒色を呈する形態とされることで、遮光性を有するものとされる。フレーム２７のうち両長辺部分における裏側の面、つまり導光部材２６及びＬＥＤ基板２５（ＬＥＤ２４）との対向面には、図６に示すように、光を反射させる第１反射シート２８がそれぞれ取り付けられている。第１反射シート２８は、フレーム２７の長辺部分におけるほぼ全長にわたって延在する大きさを有しており、導光部材２６におけるＬＥＤ２４側の端部に直接当接されるとともに導光部材２６の上記端部とＬＥＤ基板２５とを一括して表側から覆うものとされる。また、フレーム２７は、液晶パネル１１における外周端部を裏側から受けることができる。
【００６５】
ＬＥＤ２４は、図２に示すように、ＬＥＤ基板２５上に実装されるとともにＬＥＤ２５に対する実装面とは反対側の面が発光面となる、いわゆるトップ型とされる。このＬＥＤ２４における発光面側には、図６及び図８に示すように、光を広角に拡散させつつ出射させるためのレンズ部材３０が設けられている。レンズ部材３０は、ＬＥＤ２４と導光部材２６の光入射面２６ｂとの間に介在するとともに導光部材２６側に凸となるよう、その光出射面が球面状をなしている。また、このレンズ部材３０の光出射面は、導光部材２６の光入射面２６ｂの長手方向に沿って湾曲しており、断面形状が略円弧状をなしている。なお、ＬＥＤ２４自身の詳しい構成は、後に改めて説明するものとする。
【００６６】
ＬＥＤ２４は、ＬＥＤ基板２５に固着される基板部上に、例えばＩｎＧａＮ系の材料からなるＬＥＤチップ２４ａを樹脂材により封止した構成とされる。基板部に実装されるＬＥＤチップ２４ａは、波長４２０ｎｍ以上５００ｎｍ以下の青色波長領域に主発光波長を有するものとされ、色純度に優れた青色光を発することが可能とされる。その一方、ＬＥＤチップを封止する樹脂材には、ＬＥＤチップ２４ａから発せられた青色光により励起されることで緑色光を発する緑色蛍光体と、ＬＥＤチップ２４ａから発せられた青色光により励起されることで赤色光を発する赤色蛍光体とが所定の割合でもって分散配合されている。これらＬＥＤチップ２４ａから発せられる青色光（青色成分の光）と、緑色蛍光体から発せられる緑色光（緑色成分の光）と、赤色蛍光体から発せられる赤色光（赤色成分の光）とにより、ＬＥＤ２４は、全体として所定の色、例えば白色や青色味を帯びた白色などの光を発することが可能とされる。なお、緑色蛍光体からの緑色成分の光と、赤色蛍光体からの赤色成分の光との合成により黄色光が得られることから、このＬＥＤ２４は、ＬＥＤチップ２４ａからの青色成分の光と、黄色成分の光とを併せ持っている、とも言える。このＬＥＤ２４の色度は、例えば緑色蛍光体及び赤色蛍光体における含有量の絶対値や相対値に応じて変化するものとされるため、これら緑色蛍光体及び赤色蛍光体の含有量を適宜調整することでＬＥＤ２４の色度を調整することが可能とされる。なお、本実施形態では、緑色蛍光体は、５００ｎｍ以上５７０ｎｍ以下の緑色波長領域に主発光波長を有するものとされ、赤色蛍光体は、６１０ｎｍ以上７８０ｎｍ以下の赤色波長領域に主発光波長を有するものとされる。
【００６７】
ＬＥＤ基板２５は、図２に示すように、シャーシ２２の長辺方向（Ｘ軸方向、導光部材２６における光入射面２６ｂの長手方向）に沿って延在する細長い板状をなすとともに、その主板面をＸ軸方向及びＺ軸方向に並行した姿勢、つまり液晶パネル１１及び導光部材２６（光学部材２３）の板面と直交させた姿勢でシャーシ２２内に収容されている。ＬＥＤ基板２５は、シャーシ２２内における長辺側の両端部に対応して一対配されるとともに、長辺側の両側板２２ｂにおける内面にそれぞれ取り付けられている。ＬＥＤ基板２５の主板面であって内側、つまり導光部材２６側を向いた面（導光部材２６との対向面）には、上記した構成のＬＥＤ２４が表面実装されている。ＬＥＤ２４は、ＬＥＤ基板２５の実装面において、その長さ方向（Ｘ軸方向）に沿って複数が一列に（直線的に）並列配置されている。従って、ＬＥＤ２４は、バックライト装置１２における長辺側の両端部においてそれぞれ長辺方向に沿って複数ずつ並列配置されていると言える。一対のＬＥＤ基板２５は、ＬＥＤ２４の実装面が互いに対向状をなす姿勢でシャーシ２２内に収容されているので、両ＬＥＤ基板２５にそれぞれ実装された各ＬＥＤ２４の発光面が対向状をなすとともに、各ＬＥＤ２４における光軸がＹ軸方向とほぼ一致する。
【００６８】
また、ＬＥＤ基板２５の基材は、シャーシ２２と同じアルミ系材料などの金属製とされ、その表面に絶縁層を介して銅箔などの金属膜からなる配線パターン（図示せず）が形成され、さらには最外表面には、光の反射性に優れた白色を呈する反射層（図示せず）が形成された構成とされる。この配線パターンによりＬＥＤ基板２５上に並列配置された各ＬＥＤ２４同士が直列に接続されている。なお、ＬＥＤ基板２５の基材に用いる材料としては、セラミックなどの絶縁材料を用いることも可能である。
【００６９】
続いて、導光部材２６について詳しく説明する。導光部材２６は、屈折率が空気よりも十分に高く且つほぼ透明な（透光性に優れた）合成樹脂材料（例えばアクリルなど）からなる。導光部材２６は、図２に示すように、液晶パネル１１及びシャーシ２２と同様に平面に視て横長の方形状をなしており、その長辺方向がＸ軸方向と、短辺方向がＹ軸方向とそれぞれ一致している。導光部材２６は、シャーシ２２内において液晶パネル１１及び光学部材２３の直下位置に配されており、シャーシ２２における長辺側の両端部に配された一対のＬＥＤ基板２５間にＹ軸方向について挟み込まれる形で配されている。従って、ＬＥＤ２４（ＬＥＤ基板２５）と導光部材２６との並び方向がＹ軸方向と一致するのに対して、光学部材２３（液晶パネル１１）と導光部材２６との並び方向がＺ軸方向と一致しており、両並び方向が互いに直交するものとされる。そして、導光部材２６は、ＬＥＤ２４からＹ軸方向に向けて発せられた光を導入するとともに、その光を内部で伝播させつつ光学部材２３側（Ｚ軸方向）へ向くよう立ち上げて出射させる機能を有する。なお、導光部材２６は、上記した光学部材２３よりも一回り大きく形成されており、その外周端部が光学部材２３の外周端面よりも外側に張り出すとともに既述したフレーム２７により押さえられるものとされる（図６及び図７）。
【００７０】
導光部材２６は、シャーシ２２の底板２２ａ及び光学部材２３の各板面に沿って延在する略平板状をなしており、その主板面がＸ軸方向及びＹ軸方向に並行するものとされる。導光部材２６の主板面のうち、表側を向いた面が内部の光を光学部材２３及び液晶パネル１１に向けて出射させる光出射面２６ａとなっている。導光部材２６における主板面に対して隣り合う外周端面のうち、Ｘ軸方向に沿って長手状をなす長辺側の両端面は、それぞれＬＥＤ２４（ＬＥＤ基板２５）と所定の間隔を空けて対向状をなしており、これらがＬＥＤ２４から発せられた光が入射される光入射面２６ｂとなっている。光入射面２６ｂは、Ｘ軸方向及びＺ軸方向に沿って並行する面とされ、光出射面２６ａに対して略直交する面とされる。また、ＬＥＤ２４と光入射面２６ｂとの並び方向は、Ｙ軸方向と一致しており、光出射面２６ａに並行している。導光部材２６における光出射面２６ａとは反対側の面２６ｃには、導光部材２６内の光を反射して表側へ立ち上げることが可能な第２反射シート２９がその全域を覆う形で設けられている。第２反射シート２９は、平面に視てＬＥＤ基板２５（ＬＥＤ２４）と重畳する範囲にまで拡張されるとともに、表側の第１反射シート２８との間でＬＥＤ基板２５（ＬＥＤ２４）を挟み込む形で配されている。これにより、ＬＥＤ２４からの光を両反射シート２８，２９間で繰り返し反射することで、光入射面２６ｂに対して効率的に入射させることができる。なお、導光部材２６における光出射面２６ａまたはその反対側の面２６ｃの少なくともいずれか一方には、内部の光を反射させる反射部（図示せず）または内部の光を散乱させる散乱部（図示せず）が所定の面内分布を持つようパターニングされており、それにより光出射面２６ａからの出射光が面内において均一な分布となるよう制御されている。
【００７１】
さて、既述した通り本実施形態に係る液晶パネル１１のカラーフィルタ１９は、図３及び図５に示すように、光の三原色である各着色部Ｒ，Ｇ，Ｂに加えて黄色の着色部Ｙを有しているので、透過光により表示される表示画像の色域が拡張されており、もって色再現性に優れた表示を実現できるものとされる。しかも、黄色の着色部Ｙを透過した光は、視感度のピークに近い波長を有することから、人間の目には少ないエネルギーでも明るく知覚される傾向とされる。これにより、バックライト装置１２が有する光源（ＬＥＤ２４）の出力を抑制しても十分な輝度を得ることができることとなり、光源の消費電力を低減でき、もって環境性能にも優れる、といった効果が得られる。
【００７２】
その一方、上記のような４色タイプの液晶パネル１１を用いると、液晶パネル１１の表示画像が全体として黄色味を帯び易くなる傾向とされる。これを回避するには、例えば各着色部Ｒ，Ｇ，Ｂ，Ｙ毎にＴＦＴ１４の駆動を制御して各着色部Ｒ，Ｇ，Ｂ，Ｙの透過光量を調整することで表示画像の色度を補正することが考えられるものの、それでは色度の補正に伴って全体の透過光量が減少しがちとなって輝度低下を生じさせるおそれがある。この問題に鑑み、本願発明者は、バックライト装置１２における光源の色度を調整することで、輝度低下を招くことなく、表示画像における色度を補正する、という手法を創案するに至った。ここで、バックライト装置１２に用いる光源の種類には、ＬＥＤと冷陰極管との２種類が考えられるため、これら２種類の光源を上記した４色タイプの液晶パネルに対応してそれぞれ色度調整した場合にどのような輝度が得られるかについて以下に示す比較実験１を行い、その結果を下記表１に示す。
【００７３】
＜比較実験１＞
この比較実験１では、光の３原色の着色部Ｒ，Ｇ，Ｂのみを備えた３色タイプの液晶パネルと、光源として冷陰極管とを用いた場合を比較例１とし、４色の着色部Ｒ，Ｇ，Ｂ，Ｙを備えた４色タイプの液晶パネルと、それに対応して色度調整を行った冷陰極管とを用いた場合を比較例２とし、上記と同様の３色タイプの液晶パネルと、光源としてＬＥＤとを用いた場合を比較例３とし、上記と同様の４色タイプの液晶パネルと、それに対応して色度調整を行ったＬＥＤとを用いた場合を比較例４としており、下記表１には、各比較例における各光源の輝度、各光源の色度、液晶パネルからの出射光（表示画像）の輝度、及び同出射光全体の色度をそれぞれ測定した結果を示している。比較例１，２にて用いる冷陰極管（図示せず）は、放電管の一種であり、細長いガラス管の内部に発光物質である水銀などが封入されるとともに、その内壁面に蛍光体が塗布され、且つ両端部に電極部がそれぞれ封入された構成とされる。比較例３，４にて用いるＬＥＤは、発光源として青色ＬＥＤチップを用いるとともに、蛍光体として緑色光を発する緑色蛍光体及び赤色光を発する赤色蛍光体を用いた構成とされる。各光源及び出射光に係る各輝度及び各色度は、カラーフィルタ１９の各着色部Ｒ，Ｇ，Ｂ，Ｙを透過させた光を、例えば分光測色計などにより測定することで得るようにしている。また、各光源の色度調整は、液晶パネルからの出射光の色度が概ね白色になるように設定されており、具体的には、各光源が有する蛍光体の種類及び含有量（配合比率）などを調整することで行われるものとされる。また、各比較例において、各着色部の面積比率及び膜厚は、全て等しいものとされる。また、比較例２に係る各輝度は、比較例１におけるＹ値を１００％（基準）とした相対値であり、比較例４に係る各輝度は、比較例３におけるＹ値を１００％とした相対値である。
【００７４】
表１におけるｘ値及びｙ値は、図１２に示すＣＩＥ（Commission Internationale de l'Eclairage：国際照明委員会）１９３１色度図における色度座標の値である、なお、本実施形態では、「白色」の基準となる座標は、図１２に示すＣＩＥ１９３１色度図において、（０．２７２，０．２７７）としており、この白色基準座標からｘ値及びｙ値が共に小さくなるほど色度が青色側にシフトし（青色味が強くなり）、逆にｘ値及びｙ値が共に大きくなるほど色度が黄色側にシフトする（黄色味が強くなる）ものとされる。一方、表１におけるｕ′値及びｖ′値は、図１３に示すＣＩＥ１９７６色度図における色度座標の値である。なお、本実施形態では、「白色」の基準となる座標は、図１３に示すＣＩＥ１９７６色度図において、（０．１８８２，０．４３１３）としており、この白色基準座標からｖ′値が小さくなるほど色度が青色側にシフトし（青色味が強くなり）、逆にｖ′値が大きくなるほど色度が黄色側にシフトする（黄色味が強くなる）ものとされる。
【００７５】
【表１】
0005416270.tif 000002
【００７６】
まず、表１に記載された比較例１，２の結果、及び比較例３，４との結果をそれぞれ比べると、液晶パネルを４色化するのに伴って各光源の色度調整を行っても、いずれも出射光の輝度が向上し、輝度低下が見られないことが分かる。しかし、比較例２と比較例４との結果を比べると、液晶パネルを４色化するのに伴って各光源の色度調整を行ったとき、ＬＥＤよりも冷陰極管の方が光源自身の輝度が相対的に大きく低下し、且つ出射光の輝度の上昇率が相対的に低くなることが分かった。このような結果となった理由は、一つには、光源の種類によって色度の調整に伴う輝度の変化の仕方、つまり色度輝度特性が異なるためであると考えられ、各光源の色度輝度特性を表す図９及び図１０を用いて説明すると、次のようになる。すなわち、図１０に示すＬＥＤの色度輝度特性は、輝度が等しくなる領域間を仕切る線、いわば等輝度線がｘ軸及びｙ軸に対して概ね右肩上がりの傾斜を有するため、ＬＥＤは、色度調整に伴い色度を青色側にシフトさせてもそれほど大きく輝度が減少しない傾向とされる。これに対し、図９に示す冷陰極管の色度輝度特性は、上記等輝度線がｘ軸に概ね並行する形であるため、冷陰極管は、色度調整に伴い色度を青色側にシフトさせると、ＬＥＤに比べて輝度が相対的に大きく減少する傾向とされ、これが上記した出射光における輝度の上昇率の差に影響していると推考される。上記以外の理由としては、冷陰極管は、ＬＥＤに比べると、４色タイプの液晶パネルに対する分光特性の相性が悪く、それに起因して出射光の輝度が相対的に低くなると考えられる。なお、図９及び図１０に示す凡例の数値（％）は、相対輝度の値である。
【００７７】
本実施形態では、上記したように冷陰極管に比べて相対的に高い輝度が得られるＬＥＤ２４を光源として用いるのを前提とし、その上でより高い輝度が得られるＬＥＤ２４の構成を提示しており、以下、その概要を説明する。すなわち、本実施形態に係るＬＥＤ２４は、ＬＥＤチップ２４ａからの青色光によって励起されて発光する蛍光体に、ＹＡＧ系蛍光体を含んでおり、それによりＬＥＤ自身の輝度の向上並びに液晶パネル１１からの出射光の輝度の向上を図るようにしている。しかも、本実施形態では、既述した通り、液晶パネル１１におけるカラーフィルタ１９に黄色の着色部Ｙを含ませることで高い輝度及び色再現性を実現していることから、ＹＡＧ系蛍光体を含む高輝度のＬＥＤ２４と組み合わせることで、出射光のさらなる高輝度かを図ることができる、という相乗効果が得られるのである。
【００７８】
ＹＡＧ系蛍光体は、イットリウムとアルミニウムの複合酸化物からなるガーネット構造を有するものであり、化学式：Ｙ3Ａｌ5Ｏ12により表されるとともに、付活剤として希土類元素（例えばＣｅ，Ｔｂ，Ｅｕ，Ｎｄなど）が用いられる。また、ＹＡＧ系蛍光体は、化学式：Ｙ3Ａｌ5Ｏ12におけるＹサイトの一部または全部を例えばＧｄ，Ｔｂなどに置換したり、Ａｌサイトの一部を例えばＧａなどに置換することが可能であり、それによりＹＡＧ系蛍光体における主発光波長を長波長側または短波長側にシフトさせて調整を図ることが可能とされる。具体的なＹＡＧ系蛍光体としては、例えば、Ｙ3Ａｌ5Ｏ12：Ｃｅ、Ｙ3Ａｌ5Ｏ12：Ｔｂ、（Ｙ，Ｇｄ）3Ａｌ5Ｏ12：Ｃｅ、Ｙ3（Ａｌ，Ｇａ）5Ｏ12：Ｃｅ、Ｙ3（Ａｌ，Ｇａ）5Ｏ12：Ｔｂ、（Ｙ，Ｇｄ）3（Ａｌ，Ｇａ）5Ｏ12：Ｃｅ、（Ｙ，Ｇｄ）3（Ａｌ，Ｇａ）5Ｏ12：Ｔｂ、Ｔｂ3Ａｌ5Ｏ12：Ｃｅなどが挙げられる。
【００７９】
ところで、ＹＡＧ系蛍光体は、主発光波長に応じて輝度特性などが変化し得るものとされ、さらには黄色の着色部Ｙを含むカラーフィルタ１９を有する液晶パネル１１と組み合わせた場合における液晶パネル１１からの出射光の色度も変化し得るものとされる。そこで、ＹＡＧ系蛍光体における主発光波長を変化させた場合に、液晶パネル１１からの出射光の輝度及び色度がどのように変化するかについて、後述する比較実験２を行った。この比較実験２では、さらに次に示す問題点及びその解決手段についても検証を行っている。すなわち、ＹＡＧ系蛍光体は、輝度に関しては、他の蛍光体よりも優れているものの、黄色の着色部Ｙを含むカラーフィルタ１９を有する液晶パネル１１と組み合わせた場合における色再現性の点では劣る場合がある。そこで、本願発明者は、赤色の着色部Ｒの膜厚を他の着色部Ｇ，Ｂ，Ｙよりも大きくすることで色再現性を担保できる、と考え、この比較実験２では、赤色の着色部Ｒの膜厚を変化させた場合に、液晶パネル１１からの出射光の輝度及び色度がどのように変化するかについても実証している。
【００８０】
比較実験２の説明に先立って、図１２に示すＣＩＥ１９３１色度図、及び図１３に示すＣＩＥ１９７６色度図について詳しく説明する。図１２及び図１３にて実線にて示す三角形は、ＮＴＳＣ（National Television System Committee：全米テレビジョン放送方式標準化委員会）規格に係るＮＴＳＣ色度領域３６とされる。一方、図１２及び図１３にて一点鎖線にて示す三角形は、ＥＢＵ（European Broadcasting Union：ヨーロッパ放送協会）規格に係るＥＢＵ色度領域３７とされる。そして、図１２及び図１３にて網掛け状にして示す四角形は、ＮＴＳＣ色度領域３６とＥＢＵ色度領域３７との共通領域３８とされる。これらＮＴＳＣ色度領域３６、ＥＢＵ色度領域３７及び共通領域３８は、詳しくは次述するが下記表２に示す色度座標によって定義される。なお、表２に示すｘ値，ｙ値，ｕ′値及びｖ′値は、上記した表１にて説明したものと全て同様のものである。
【００８１】
ＮＴＳＣ色度領域３６、ＥＢＵ色度領域３７及び共通領域３８について詳しく説明する。ＮＴＳＣ色度領域３６は、表２に示す各色度座標によって定義され、図１２に示すＣＩＥ１９３１色度図においては、（ｘ，ｙ）の値が、青色の原色点（０．１４，０．０８）、緑色の原色点（０．２１，０．７１）、赤色の原色点（０．６７，０．３３）の三点を頂点とする三角形内の領域であり、図１３に示すＣＩＥ１９７６色度図においては、（ｕ′，ｖ′）の値が、緑色の原色点（０．０７５７，０．５７５７）、青色の原色点（０．１５２２，０．１９５７）、赤色の原色点（０．４７６９，０．５２８５）の三点を頂点とする三角形内の領域である。ＥＢＵ色度領域３７は、表２に示す各色度座標によって定義され、図１２に示すＣＩＥ１９３１色度図においては、（ｘ，ｙ）の値が、青色の原色点（０．１５，０．０６）、緑色の原色点（０．３，０．６）、赤色の原色点（０．６４，０．３３）の三点を頂点とする三角形内の領域であり、図１３に示すＣＩＥ１９７６色度図においては、（ｕ′，ｖ′）の値が、緑色の原色点（０．１２５０，０．５６２５）、青色の原色点（０．１７５４，０．１５７９）、赤色の原色点（０．４５０７，０．５２２９）の三点を頂点とする三角形内の領域である。
【００８２】
共通領域３８は、ＮＴＳＣ色度領域３６とＥＢＵ色度領域３７とをなす２つの三角形同士が重なり合う四角形の領域により定義される。この共通領域３８は、ＮＴＳＣ規格及びＥＢＵ規格の双方において必要とされる色度領域であることから、表示画像における表示品位（色再現性）を一定以上に保つ上で非常に重要な領域である。具体的には、共通領域３８は、図１２に示すＣＩＥ１９３１色度図においては、（ｘ，ｙ）の値が、ＮＴＳＣ色度領域３６の赤色の原色点と青色の原色点とを結ぶ線（ＲＢ線）とＥＢＵ色度領域３７の青色の原色点と緑色の原色点とを結ぶ線（ＢＧ線）との交点である（０．１５７９，０．０８８４）、（０．３，０．６）、ＮＴＳＣ色度領域３６のＲＢ線とＥＢＵ色度領域３７のＲＢ線との交点である（０．４６１６，０．２３１７）、（０．６４，０．３３）の四点を頂点とする四角形内の領域であり、図１３に示すＣＩＥ１９７６色度図においては、（ｕ′，ｖ′）の値が、（０．１２５，０．５６２５）、ＮＴＳＣ色度領域３６のＲＢ線とＥＢＵ色度領域３７のＢＧ線との交点である（０．１６８６，０．２１２５）、ＮＴＳＣ色度領域３６のＲＢ線とＥＢＵ色度領域３７のＲＢ線との交点である（０．３８０１，０．４２９３）、（０．４５０７，０．５２２９）の四点を頂点とする四角形内の領域である。
【００８３】
【表２】
0005416270.tif 000003
【００８４】
＜比較実験２＞
比較実験２について詳しく説明する。この比較実験２では、緑色蛍光体としてβ−ＳｉＡｌＯＮ（一般式は、Ｓｉ6-zＡｌzＯzＮ8-z：Ｅｕ（ｚは固溶量を示す）で表される）を、赤色蛍光体としてカズン系蛍光体であるカズン（ＣａＡｌＳｉＮ3：Ｅｕ）をそれぞれ用いた場合を比較例５とし、緑色蛍光体として主発光波長が５５４ｎｍのＹＡＧ系蛍光体を用い、赤色蛍光体を用いない場合を実施例１としている。さらには、緑色蛍光体として主発光波長が５３９ｎｍのＹＡＧ系蛍光体を用い、赤色蛍光体としてカズン（ＣａＡｌＳｉＮ3：Ｅｕ）をそれぞれ用いた場合を実施例２とし、緑色蛍光体として主発光波長が５１９ｎｍのＹＡＧ系蛍光体を用い、赤色蛍光体としてカズン（ＣａＡｌＳｉＮ3：Ｅｕ）をそれぞれ用いた場合を実施例６としている。実施例３〜５は、実施例２と同じ蛍光体を含むＬＥＤを用いた上で、赤色の着色部Ｒの膜厚を他の着色部Ｇ，Ｂ，Ｙの膜厚よりも厚くしたものであり、同様に実施例７〜９は、実施例６と同じ蛍光体を含むＬＥＤを用いた上で、赤色の着色部Ｒの膜厚を他の着色部Ｇ，Ｂ，Ｙの膜厚よりも厚くしたものである。また、比較例５及び実施例１〜９では、いずれもＬＥＤに用いるＬＥＤチップとして主発光波長が４５１ｎｍとなるものを用いている。下記表３には、比較例５及び実施例１〜９におけるＬＥＤチップの主発光波長、各蛍光体の材料名及び主発光波長、各着色部Ｒ，Ｇ，Ｂ，Ｙの膜厚及び面積比率、液晶パネルからの出射光（表示画像）の輝度、出射光における色度領域のＮＴＳＣ比、ＬＥＤの色度、及び出射光に係る各色の色度をそれぞれ測定した結果を示している。
【００８５】
実施例１，２，６にて用いるＹＡＧ系蛍光体は、互いに主発光波長が異なるものとされる。ＹＡＧ系蛍光体の主発光波長を異ならせるには、既述した通り、化学式：Ｙ3Ａｌ5Ｏ12におけるＹサイトの一部または全部を例えばＧｄ，Ｔｂなどに置換したり、Ａｌサイトの一部を例えばＧａなどに置換することで実現する（主発光波長を長波長側または短波長側にシフトさせる）ことができ、具体的に選択可能なＹＡＧ系蛍光体の種類は既述した通りである。比較例５及び実施例１，２，６に示す各緑色蛍光体（β−ＳｉＡｌＯＮ及び各ＹＡＧ系蛍光体）の発光スペクトルは、図１１に示す通りであり、同図縦軸に示す放射輝度（単位は（Ｗ／ｓｒ・ｍ２））の最大値（ピーク）となる波長（横軸の値で単位は（ｎｍ））が各緑色蛍光体の主発光波長となっている。また、赤色蛍光体であるカズン（ＣａＡｌＳｉＮ3：Ｅｕ）は、図示は省略するが主発光波長が例えば６３８ｎｍとされる。なお、図１１では、測定データの検証の容易性などを考慮して縦軸を放射輝度としているが、他の放射量に関する物理量、例えば放射束（単位は（Ｗ））や放射照度（単位は（Ｗ／ｍ２））などとすることも勿論可能である。
【００８６】
比較例５及び実施例１，２，６は、図３に示すように、各着色部Ｒ，Ｇ，Ｂ，Ｙの膜厚が全て均等で２．１μｍに揃えられている（膜厚の数値は表３を参照）。実施例３〜５，７〜９は、図１４に示すように、赤色の着色部Ｒが他の着色部Ｇ，Ｂ，Ｙよりも膜厚が厚いものとされる。詳しくは、実施例３，７は、赤色の着色部Ｒの膜厚が３．０μｍとされ、他の着色部Ｇ，Ｂ，Ｙの膜厚（いずれも２．１μｍで同一）の約１４２．８６％の大きさとされる。実施例８は、赤色の着色部Ｒの膜厚が３．５μｍとされ、他の着色部Ｇ，Ｂ，Ｙの膜厚の約１６６．６７％の大きさとされる。実施例４，９は、赤色の着色部Ｒの膜厚が４．０μｍとされ、他の着色部Ｇ，Ｂ，Ｙの膜厚の約１９０．４８％の大きさとされる。実施例５は、赤色の着色部Ｒの膜厚が４．５μｍとされ、他の着色部Ｇ，Ｂ，Ｙの膜厚の約２１４．２９％の大きさとされる。つまり、実施例３〜５における赤色の着色部Ｒの膜厚は、他の着色部Ｇ，Ｂ，Ｙの膜厚の１４２．８％〜２１４．３％の範囲の大きさとされ、実施例７〜９における赤色の着色部Ｒの膜厚は、他の着色部Ｇ，Ｂ，Ｙの膜厚の１４２．８％〜１９０．５％の範囲の大きさとされている。
【００８７】
表３において、出射光の色度領域のＮＴＳＣ比は、比較例５及び各実施例において測定により得られた出射光における色度領域の、ＮＴＳＣ色度領域３６に対する面積比率である。このＮＴＳＣ比は、ＣＩＥ１９３１色度図及びＣＩＥ１９７６色度図のいずれにおいても７０％以上の数値があれば、液晶表示装置１０を視聴する上で十分な色再現性、つまり表示品位が確保されていると言える。なお、ＥＢＵ色度領域３７のＮＴＳＣ比が７２％であることから、出射光の色度領域として好ましくは７２％以上の数値を得られれば、ＥＢＵ規格と同等以上の色度領域が確保されていることになり、より表示品位に優れると言える。出射光における各色の色度は、上記した比較実験１と同様に、カラーフィルタ１９の各着色部Ｒ，Ｇ，Ｂ，Ｙを透過させた出射光を、例えば分光測色計などにより測定することで得るようにしている。ここで、各実施例における各着色部Ｒ，Ｇ，Ｂ，Ｙは、その顔料濃度が一定とされている。このため、各着色部Ｒ，Ｇ，Ｂ，Ｙの色度は、その膜厚の大きさに応じて変化するものとされ、膜厚が小さくなるほど色純度が低下して色度領域が縮小されるものの該当する色に属する透過光量は増加し、逆に膜厚が大きくなるほど該当する色に属する透過光量が減少するものの色純度は向上して色度領域が拡張される傾向にある。つまり、各着色部Ｒ，Ｇ，Ｂ，Ｙは、膜厚が小さくなるほど色再現性では劣るものの輝度が高くなり、逆に膜厚が大きくなるほど輝度が低くなるものの色再現性に優れるものとされる。なお、実施例１〜９に係る各輝度は、比較例５における輝度を１００％とした相対値とされている。また、ＬＥＤの色度調整に関しては、各蛍光体の含有量などを調整して行われる。また、表３に示すｘ値，ｙ値，ｕ′値及びｖ′値は、上記した表１にて説明したものと全て同様のものである。
【００８８】
【表３】
0005416270.tif 000004
【００８９】
まず、比較例５と実施例１，２，６とにおける出射光の輝度を比較すると、実施例１，２，６の方が比較例５よりも輝度が高いことが分かる。これは、緑色蛍光体としてＹＡＧ系蛍光体を含ませた方が、β−ＳｉＡｌＯＮを含ませた場合よりも高い輝度が得られることを意味する。続いて、いずれもＹＡＧ系蛍光体を用いた実施例１，２，６における出射光の輝度を比較すると、実施例２，６の方が実施例１よりも高い輝度が得られ、さらに実施例２，６の比較では、実施例２の方が実施例６よりもさらに高い輝度が得られることが分かる。これは、輝度に関しては、主発光波長が５３９ｎｍのＹＡＧ系蛍光体を用いた場合が最も高輝度であり、以下主発光波長が５１９ｎｍのＹＡＧ系蛍光体、主発光波長が５５４ｎｍのＹＡＧ系蛍光体の順で輝度が低下することを意味する。その一方、ＮＴＳＣ比に関して実施例１，２，６を比較すると、実施例６が最も大きく、次いで実施例１、実施例２の順序となっている。以上の結果から、輝度に関しては、主発光波長が５３９ｎｍのＹＡＧ系蛍光体が最も優れ、色再現性に関しては、主発光波長が５１９ｎｍのＹＡＧ系蛍光体が最も優れている。また、輝度と色再現性との両立といった観点では、主発光波長が５１９ｎｍのＹＡＧ系蛍光体を用いるのが好ましい。なお、ＹＡＧ系蛍光体における主発光波長が５１９ｎｍを下回ると、主発光波長が、ＬＥＤチップ２４ａが発する青色光の波長領域側に偏るため、ＬＥＤ２４の色度調整が困難になるおそれがあり、逆に主発光波長が５５４ｎｍを上回ると、主発光波長が液晶パネル１１が含む黄色の着色部Ｙを透過する黄色光の波長領域側に偏るため、やはりＬＥＤ２４の色度調整が困難になるおそれがある。このため、ＹＡＧ系蛍光体における主発光波長は、５１９ｎｍ〜５５４ｎｍの範囲が好ましいと言える。
【００９０】
ここで、比較例５と実施例１，２，６とにおけるＮＴＳＣ比を比較すると、実施例１，２，６は、いずれも比較例５よりも小さくなっており、色再現性の観点では、ＹＡＧ系蛍光体がβ−ＳｉＡｌＯＮよりも劣ることが分かる。この色再現性の問題を解決する手段として、実施例３〜５，７〜９では、赤色の着色部Ｒの膜厚を他の着色部Ｇ，Ｂ，Ｙの膜厚よりも大きくしており、以下その効果について表３を用いて詳しく説明する。実施例２と実施例３〜５とを比較すると、赤色の着色部Ｒの膜厚を増すに連れてＮＴＳＣ比、及び出射光における赤色の色度のｘ値及びｕ′値がいずれも大きくなるとともに、色再現性が向上することが分かる。同様に、実施例６と実施例７〜９とを比較した場合でも、赤色の着色部Ｒの膜厚を増すに連れてＮＴＳＣ比、及び出射光における赤色の色度のｘ値及びｕ′値がいずれも大きくなるとともに、色再現性が向上することが分かる。特に、実施例３〜５（ＹＡＧ系蛍光体の主発光波長を５３９ｎｍとし且つ赤色の着色部Ｒの膜厚を他の着色部Ｇ，Ｂ，Ｙの膜厚よりも大きくする構成）は、実施例１，６〜９のいずれよりも高い輝度を確保しつつも、実施例１，６よりも色再現性に優れていることから、輝度及び色再現性の両立を図る観点から最も優れていると言える。また、実施例７〜９（ＹＡＧ系蛍光体の主発光波長を５１９ｎｍとし且つ赤色の着色部Ｒの膜厚を他の着色部Ｇ，Ｂ，Ｙの膜厚よりも大きくする構成）は、実施例１よりも高い輝度を確保しつつも、比較例５よりもＮＴＳＣ比が大きくなっていることから、十分な輝度の高さを担保した上でより高い色再現性を実現する、といった観点において最も優れていると言える。なお、赤色の着色部Ｒの膜厚を増すと、色再現性が向上する理由は、赤色の着色部を透過する赤色光の光量が膜厚の大きさに反比例するのに対し、色純度の高さが膜厚の大きさに比例する傾向にあるため、と考えられる。
【００９１】
なお、実施例１におけるＹＡＧ系蛍光体は、主発光波長が５５４ｎｍと、実施例２，６に比べて最も黄色の波長領域に近いため、仮に色再現性の向上を図るべく蛍光体に赤色蛍光体を追加すると、黄色の着色部Ｙを有する液晶パネルに対応してＬＥＤの色度を調整するのが困難になることから、実質的に赤色蛍光体を追加することができない。これは、実施例１における出射光全体の色度が、実施例２〜９に比べて、黄色側（赤色側）にシフトしていることからも、明らかである。このため、実施例１のように主発光波長が５５４ｎｍとされるＹＡＧ系蛍光体を用いると、実施例３〜５，７〜９のように赤色の着色部Ｒの膜厚を増して色再現性を高めることも実質的に不可能とされる。従って、輝度及び色再現性をいずれも高いものとしつつも色度調整の容易性を担保する、といった観点からは、ＹＡＧ系蛍光体における主発光波長は、５１９ｎｍ〜５３９ｎｍの範囲がより好ましいと言える。
【００９２】
実施例１〜９の出射光における青色の色度（青色の原色点）、緑色の色度（緑色の原色点）、黄色の色度（黄色の原色点）、赤色の色度（赤色の原色点）は、いずれも図１２及び図１３に示す各色度図において共通領域３８外に存している。共通領域３８は、既述した通り表示画像における表示品位（色再現性）を一定以上に保つ上で非常に重要な領域であり、出射光の色度領域にこの共通領域３８をできる限り多く含ませるのが好ましい。その点、実施例１〜９では、各色の色度が全て共通領域３８外に存する設定とされることで、出射光の色度領域に共通領域３８の大部分または全域が含まれているので、液晶表示装置１０を視聴する上で十分な色再現性を確保することができる。実施例１〜９では、ＮＴＳＣ比がいずれも７２％以上であることから、ＥＢＵ規格と同等以上の色再現性が実現されていると言える。なお、ここで言う出射光の色度領域は、実施例１〜９の出射光における赤色、青色、黄色及び緑色の各色度（各原色点）を頂点とする四角形の領域である。
【００９３】
以上説明したように本実施形態の液晶表示装置１０は、一対の基板１１ａ，１１ｂ間に電界印加によって光学特性が変化する物質である液晶からなる液晶層１１ｃを設けてなる液晶パネル１１と、液晶パネル１１に向けて光を照射するバックライト装置１２とを備え、液晶パネル１１における一対の基板１１ａ，１１ｂのいずれか一方に、それぞれ青色、緑色、赤色、黄色を呈する複数の着色部Ｒ，Ｇ，Ｂ，Ｙからなるカラーフィルタ１９が形成されているのに対し、バックライト装置１２は、光源としてＬＥＤ２４を備えており、ＬＥＤ２４は、発光源であるＬＥＤチップ２４ａと、ＬＥＤチップ２４ａからの光により励起されて発光する蛍光体とを備え、蛍光体には、少なくともＹＡＧ系蛍光体が含まれている。
【００９４】
このように、液晶パネル１１における一対の基板１１ａ，１１ｂのいずれか一方には、カラーフィルタ１９が形成されており、このカラーフィルタ１９には、光の三原色である青色、緑色、赤色の各着色部Ｒ，Ｇ，Ｂに加えて黄色の着色部Ｙが含まれているから、人間の目に知覚される色再現範囲、つまり色域を拡張することができるとともに、自然界に存在する物体色の色再現性を高めることができ、もって表示品位を向上させることができる。しかも、カラーフィルタ１９を構成する着色部Ｒ，Ｇ，Ｂ，Ｙのうち、黄色の着色部Ｙを透過した光は、視感度のピークに近い波長を有するため、人間の目には少ないエネルギーでも明るく、つまり高い輝度であるように知覚される傾向とされる。これにより、光源の出力を抑制しても十分な輝度を得ることができることとなり、光源の低消費電力化を図ることができて環境性能に優れる、という効果を得ることができる。言い換えると、上記のように高い輝度が得られることから、それを利用して鮮やかなコントラスト感を得ることができ、表示品位の一層の向上を図ることも可能とされるのである。
【００９５】
その一方、カラーフィルタ１９に黄色の着色部Ｙを含ませると、液晶パネル１１からの出射光、つまり表示画像が全体として黄色味を帯び易くなる傾向とされる。これを回避するには、例えば各着色部Ｒ，Ｇ，Ｂ，Ｙの透過光量を制御することで表示画像の色度の補正を図る手法を採ることが考えられるが、それでは色度の補正に伴って透過光量が減少しがちとなるため、輝度低下を生じさせるおそれがある。そこで、本願発明者は、鋭意研究を重ねた結果、バックライト装置１２に用いる光源における色度を調整することで、輝度低下を招くことなく、表示画像における色度を補正することができる、という知見を得るに至った。その上で、本実施形態では、光源としてＬＥＤ２４を用いるようにしている。ＬＥＤ２４は、冷陰極管などの他の光源に比べると、黄色の着色部Ｙを有する液晶パネル１１に対応して色度を調整した場合、例えば分光特性の相性が良好であるなどの理由から、相対的に高い輝度を維持することができるのである。これにより、輝度低下を招くことなく表示画像の色度を適切に補正することができる。
【００９６】
その上で、本願発明者は、光源に用いるＬＥＤ２４の構成についてさらなる研究を重ねた結果、より高い輝度が得られるＬＥＤ２４を特定するに至った。すなわち、本実施形態では、発光源であるＬＥＤチップ２４ａと、ＬＥＤチップ２４ａからの光により励起されて発光する蛍光体とからなるＬＥＤ２４を用い、且つ蛍光体に少なくともＹＡＧ系蛍光体を含ませるようにしているので、仮にＹＡＧ系蛍光体ではない他の種類の蛍光体（例えば、β−ＳｉＡｌＯＮなど）を用いた場合に比べて、ＬＥＤ２４自身の輝度を高めることができるとともに、出射光における輝度を高くすることができる。しかも、本実施形態では、既述した通り液晶パネル１１におけるカラーフィルタ１９に黄色の着色部Ｙを含ませることで、高い輝度及び色再現性を得るようにしていることから、上記した構成の高輝度なＬＥＤ２４と組み合わせることで、出射光のさらなる高輝度化を図ることができる、という相乗効果が得られるものとされる。このことは、ＬＥＤ２４の出力を抑制しても十分な輝度を得ることができることを意味し、それによりＬＥＤ２４のさらなる低消費電力化を図ることができて環境性能に一層優れる、という効果をも得ることができるのである。
【００９７】
なお、ＹＡＧ系蛍光体は、イットリウムとアルミニウムの複合酸化物からなるガーネット構造を有するものであり、化学式：Ｙ3Ａｌ5Ｏ12により表されるとともに、付活剤として希土類元素（例えばＣｅ，Ｔｂ，Ｅｕ，Ｎｄなど）が用いられる。また、ＹＡＧ系蛍光体は、化学式：Ｙ3Ａｌ5Ｏ12におけるＹサイトの一部または全部を例えばＧｄ，Ｔｂなどに置換したり、Ａｌサイトの一部を例えばＧａなどに置換することが可能であり、それによりＹＡＧ系蛍光体における主発光波長を適宜調整することが可能とされる。
【００９８】
具体的なＹＡＧ系蛍光体としては、例えば、Ｙ3Ａｌ5Ｏ12：Ｃｅ、Ｙ3Ａｌ5Ｏ12：Ｔｂ、（Ｙ，Ｇｄ）3Ａｌ5Ｏ12：Ｃｅ、Ｙ3（Ａｌ，Ｇａ）5Ｏ12：Ｃｅ、Ｙ3（Ａｌ，Ｇａ）5Ｏ12：Ｔｂ、（Ｙ，Ｇｄ）3（Ａｌ，Ｇａ）5Ｏ12：Ｃｅ、（Ｙ，Ｇｄ）3（Ａｌ，Ｇａ）5Ｏ12：Ｔｂ、Ｔｂ3Ａｌ5Ｏ12：Ｃｅなどが挙げられる。
【００９９】
また、ＹＡＧ系蛍光体は、主発光波長が５１９ｎｍ〜５５４ｎｍの範囲とされる。このようにすれば、仮に、ＹＡＧ系蛍光体における主発光波長が５１９ｎｍを下回る場合には、十分な輝度が得られなくなるおそれがあるのに加えて、主発光波長がシアン色側（青色側）に偏るため、ＬＥＤチップ２４ａとして青色光を発するものを用いたときの色度調整が難しくなるおそれがある。一方、ＹＡＧ系蛍光体における主発光波長が５５４ｎｍを上回る場合には、やはり十分な輝度が得られなくなるおそれがあるのに加えて、主発光波長が黄色側（赤色側）に偏るため、黄色の着色部Ｙを含むカラーフィルタ１９を備える液晶パネル１１に対応してＬＥＤ２４の色度を調整するのが難しくなるおそれがある。その点、本実施形態では、ＹＡＧ系蛍光体として主発光波長が５１９ｎｍ〜５５４ｎｍの範囲とされるものを用いることで、ＬＥＤ２４の色度調整の容易性を担保しつつも十分に高い輝度及び色再現性を得ることができる。
【０１００】
また、ＹＡＧ系蛍光体は、主発光波長が５１９ｎｍ〜５３９ｎｍの範囲とされる。このようにすれば、仮に、ＹＡＧ系蛍光体における主発光波長が５３９ｎｍを上回る場合には、相対的に輝度が低下し、さらには蛍光体に赤色光を発光する赤色蛍光体を加えて色再現性の向上を図ろうとしたときの色度調整が困難になるおそれがある。その点、本実施形態では、ＹＡＧ系蛍光体として主発光波長が５１９ｎｍ〜５３９ｎｍの範囲とされるものを用いることで、一層の輝度の向上を図ることができるのに加え、例えば蛍光体に赤色光を発光する赤色蛍光体を加えて色再現性の向上を図りつつも色度調整の容易性を担保することが可能とされる。
【０１０１】
また、ＹＡＧ系蛍光体は、主発光波長が５３９ｎｍとされる。このようにすれば、仮に、ＹＡＧ系蛍光体における主発光波長が５３９ｎｍを下回る場合に比べて、相対的にさらに高い輝度を得ることができ、また十分な色再現性が得られる。
【０１０２】
また、ＹＡＧ系蛍光体は、主発光波長が５１９ｎｍとされる。このようにすれば、仮に、ＹＡＧ系蛍光体における主発光波長が５１９ｎｍを上回る場合に比べて、相対的に高い色再現性を得ることができ、また十分な輝度が得られる。
【０１０３】
また、蛍光体には、ＬＥＤチップ２４ａから発せられる光により励起されて赤色光を発する赤色蛍光体が含まれている。このようにすれば、赤色蛍光体を、主発光波長が５１９ｎｍ〜５３９ｎｍの範囲とされるＹＡＧ系蛍光体と組み合わせて用いることで、色度調整の容易性を担保しつつ、より高い色再現性を得ることができる。
【０１０４】
また、赤色蛍光体は、カズン系蛍光体からなる。このように、赤色蛍光体として窒化物であるカズン系蛍光体を用いているので、例えば硫化物や酸化物からなる赤色蛍光体を用いた場合に比べて、高い効率でもって赤色光を発することができる。
【０１０５】
また、赤色蛍光体は、カズン（ＣａＡｌＳｉＮ3：Ｅｕ）からなる。このようにすれば、高い効率でもって赤色光を発することができる。
【０１０６】
また、赤色を呈する着色部Ｒは、青色を呈する着色部Ｂ及び緑色を呈する着色部Ｇよりも膜厚が相対的に大きいものとされる。このように、赤色を呈する着色部Ｒの膜厚を、青色を呈する着色部Ｂ及び緑色を呈する着色部Ｇの膜厚よりも相対的に大きくすると、仮に上記各着色部Ｒ，Ｇ，Ｂの膜厚を同一とした場合に比べて、赤色に属する光の透過光量は減少するものの、出射光における赤色に属する色度領域が拡張される。これにより、一層高い色再現性を得ることができる。
【０１０７】
また、青色を呈する着色部Ｂ及び緑色を呈する着色部Ｇは、互いに膜厚がほぼ同じとされる。このようにすれば、青色を呈する着色部Ｂ及び緑色を呈する着色部Ｇに関しては、両基板１１ａ，１１ｂ間に形成される静電容量がほぼ等しいものとされるから、両基板１１ａ，１１ｂ間に設けられる液晶層１１ｃの光学特性を電界印加によって容易に制御することができる。これにより、青色を呈する着色部Ｂ及び緑色を呈する着色部Ｇに対する光の透過率を容易に制御することができ、もって液晶パネル１１に係る回路設計を簡素なものとすることができる。
【０１０８】
また、黄色を呈する着色部Ｙは、青色を呈する着色部Ｂ及び緑色を呈する着色部Ｇと膜厚がほぼ同じとされる。このようにすれば、青色を呈する着色部Ｂ及び緑色を呈する着色部Ｇに加えて、黄色を呈する着色部Ｙに関しても、両基板１１ａ，１１ｂ間に形成される静電容量がほぼ等しいものとなるから、液晶パネル１１に係る回路設計をより簡素なものとすることができる。
【０１０９】
また、赤色を呈する着色部Ｒは、その膜厚が青色を呈する着色部Ｂ及び緑色を呈する着色部Ｇの膜厚の１４２．８％〜２１４．３％の範囲の大きさとされる。仮に青色を呈する着色部Ｂ及び緑色を呈する着色部Ｇの膜厚に対する赤色を呈する着色部Ｒの膜厚の比率を１４２．８％よりも小さくすると、膜厚の差が小さくなり過ぎるため、出射光における赤色に属する色度領域が十分に拡張されず、色再現性の向上効果を十分に得ることができなくなるおそれがある。一方、仮に上記膜厚の比率を２１４．３％よりも大きくすると、上記した静電容量上の問題が生じ易くなる可能性がある。その点、本実施形態では、上記した膜厚の比率を１４２．８％〜２１４．３％の範囲とすることで、両基板１１ａ，１１ｂ間に設けられる液晶層１１ｃの光学特性を電界印加によってより適切に制御できるとともに、より高い色再現性を得ることができる。
【０１１０】
また、青色を呈する着色部Ｂ及び緑色を呈する着色部Ｇは、その膜厚が２．１μｍとされるのに対し、赤色を呈する着色部Ｒは、その膜厚が３．０μｍ〜４．５μｍの範囲とされる。各着色部Ｒ，Ｇ，Ｂの膜厚を上記のような設定とすることで、両基板１１ａ，１１ｂ間に設けられる液晶層１１ｃの光学特性を電界印加によってさらに適切に制御できるとともに、より一層高い色再現性を得ることができる。
【０１１１】
また、各着色部Ｒ，Ｇ，Ｂ，Ｙは、互いに膜厚がほぼ同じとされる。このようにすれば、カラーフィルタ１９を構成する各着色部Ｒ，Ｇ，Ｂ，Ｙにおいて、両基板１１ａ，１１ｂ間に形成される静電容量がほぼ等しいものとされるから、両基板１１ａ，１１ｂ間に設けられる液晶層１１ｃの光学特性を電界印加によってより容易に制御することができる。これにより、各着色部Ｒ，Ｇ，Ｂ，Ｙに対する光の透過率をより容易に制御することができ、もって液晶パネル１１に係る回路設計を極めて簡素なものとすることができる。
【０１１２】
また、ＹＡＧ系蛍光体は、主発光波長が５５４ｎｍとされる。このようにすれば、仮に、ＹＡＧ系蛍光体における主発光波長が５５４ｎｍを下回る場合に比べると、主発光波長が黄色側（赤色側）にシフトしていることから、蛍光体として赤色光を発する赤色蛍光体を追加することなく、色度調整を行うことが可能とされ、それにより例えば低コストでの製造などが可能となる。
【０１１３】
また、ＬＥＤチップ２４ａは、主発光波長が４５１ｎｍとされる。このようにすれば、ＹＡＧ系蛍光体を高効率でもって励起することができるので、より高い輝度を得ることができる。
【０１１４】
また、各着色部Ｒ，Ｇ，Ｂ，Ｙにおける面積比率は、互いに等しいものとされる。仮に、出射光における青色の色度を制御すべく、各着色部Ｒ，Ｇ，Ｂ，Ｙの面積比率を異ならせた場合には、液晶パネル１１を製造するための製造装置として専用設計の特殊なものを用意する必要がある。これに比べて、本実施形態では、一般的な赤色、緑色、青色の３色の着色部Ｒ，Ｇ，Ｂからなるカラーフィルタ１９を有する液晶パネル１１と同様に、４色の各着色部Ｒ，Ｇ，Ｂ，Ｙの面積比率を等しいものとしているので、上記した３色タイプの液晶パネル１１を製造するのに用いられる製造装置を利用することが可能とされる。これにより、４色の着色部Ｒ，Ｇ，Ｂ，Ｙからなるカラーフィルタ１９を有する液晶パネル１１に係る製造コストを十分に低いものとすることができる。
【０１１５】
また、カラーフィルタ１９は、ＬＥＤ２４からの光をカラーフィルタ１９の各着色部Ｒ，Ｇ，Ｂ，Ｙに透過させて得られる出射光における青色の色度が、ＣＩＥ１９３１色度図とＣＩＥ１９７６色度図との少なくともいずれか一方において、ＮＴＳＣ規格に係るＮＴＳＣ色度領域３６とＥＢＵ規格に係るＥＢＵ色度領域３７との共通領域３８外に存する構成とされる。このようにすれば、出射光における青色に属する色度領域に共通領域３８を概ね含ませることができるので、十分な色再現性を確保することができる。
【０１１６】
また、カラーフィルタ１９は、出射光における青色の色度が、ＣＩＥ１９３１色度図とＣＩＥ１９７６色度図との少なくともいずれか一方において、ＥＢＵ色度領域３７外に存する構成とされる。このようにすれば、出射光における青色に属する色度領域がより拡張されるので、色再現性をより向上させることができる。
【０１１７】
また、カラーフィルタ１９は、ＬＥＤ２４からの光をカラーフィルタ１９の各着色部Ｒ，Ｇ，Ｂ，Ｙに透過させて得られる出射光における赤色の色度が、ＣＩＥ１９３１色度図とＣＩＥ１９７６色度図との少なくともいずれか一方において、ＮＴＳＣ規格に係るＮＴＳＣ色度領域３６とＥＢＵ規格に係るＥＢＵ色度領域３７との共通領域３８外に存する構成とされる。このようにすれば、出射光における赤色に属する色度領域に共通領域３８を概ね含ませることができるので、十分な色再現性を確保することができる。
【０１１８】
また、カラーフィルタ１９は、ＬＥＤ２４からの光をカラーフィルタ１９の各着色部Ｒ，Ｇ，Ｂ，Ｙに透過させて得られる出射光における緑色の色度が、ＣＩＥ１９３１色度図とＣＩＥ１９７６色度図との少なくともいずれか一方において、ＮＴＳＣ規格に係るＮＴＳＣ色度領域３６とＥＢＵ規格に係るＥＢＵ色度領域３７との共通領域３８外に存する構成とされる。このようにすれば、出射光における緑色に属する色度領域に共通領域３８を概ね含ませることができるので、十分な色再現性を確保することができる。
【０１１９】
また、カラーフィルタ１９は、ＬＥＤ２４からの光をカラーフィルタ１９の各着色部Ｒ，Ｇ，Ｂ，Ｙに透過させて得られる出射光における黄色の色度が、ＣＩＥ１９３１色度図とＣＩＥ１９７６色度図との少なくともいずれか一方において、ＮＴＳＣ規格に係るＮＴＳＣ色度領域３６とＥＢＵ規格に係るＥＢＵ色度領域３７との共通領域３８外に存する構成とされる。このようにすれば、出射光における黄色に属する色度領域に共通領域３８を概ね含ませることができるので、十分な色再現性を確保することができる。
【０１２０】
また、出射光における色度領域は、ＮＴＳＣ規格に係るＮＴＳＣ色度領域３６の７０％以上を占めるものとされる。このようにすれば、画像を表示する上で十分な色再現性を確保することができ、良好な表示品質を得ることができる。
【０１２１】
また、バックライト装置１２には、ＬＥＤ２４が端部に対して対向状に配される合成樹脂製の導光部材２６が備えられ、ＬＥＤ２４からの光が導光部材２６を透過することで液晶パネル１１側へと導かれるものとされる。このようにすれば、一般的に合成樹脂製の導光部材２６は、高い透明性を有するものの、僅かながらも黄色味を帯びている場合が多く、その場合には、ＬＥＤ２４から発せられた光が導光部材２６を透過すると、その透過光も僅かに黄色味を帯びたものとなる。このような場合でも、黄色の着色部Ｙを有する液晶パネル１１に加えて黄色味を帯びた導光部材２６に対応してＬＥＤ２４の色度を調整することで、輝度低下を招くことなく表示画像の色度を適切に補正することができる。
【０１２２】
また、導光部材２６は、ＬＥＤ２４側の端部に長手状の光入射面２６ｂを有しているのに対し、ＬＥＤ２４は、その光出射側を覆うとともに光を拡散させるレンズ部材３０を備えており、レンズ部材３０は、導光部材２６の光入射面２６ｂと対向し、導光部材２６側に凸となるように、光入射面２６ｂの長手方向に沿って屈曲している。このようにすれば、ＬＥＤ２４から出射された光が、レンズ部材３０によって光入射面２６ｂの長手方向に広がるので、導光部材２６の光入射面２６ｂに形成され得る暗部を低減することができる。従って、ＬＥＤ２４と導光部材２６との間の距離が短く、かつ、ＬＥＤ２４の数が少ない場合であっても、導光部材２６の光入射面２６ｂの全体に亘って均一な輝度の光を入射させることができる。
【０１２３】
また、バックライト装置１２には、ＬＥＤ２４と導光部材２６との間に、光入射面２６ｂの長手方向に沿って配される反射シート２８，２９が備えられている。このようにすれば、レンズ部材３０から導光部材２６の外へ散乱した光を、反射シート２８，２９によって反射して導光部材２６に入射させることが可能となる。このため、ＬＥＤ２４から出射された光の、導光部材２６への入射効率を高めることができる。
【０１２４】
また、表示パネルは、電界印加によって光学特性が変化する物質として液晶層１１ｃを用いた液晶パネル１１とされる。このようにすれば、種々の用途、例えばテレビやパソコンのディスプレイ等に適用でき、特に大型画面用として好適である。
【０１２５】
また、本実施形態に係るテレビ受信装置ＴＶは、上記した液晶表示装置１０と、テレビ信号を受信可能な受信部であるチューナーＴとを備える。このようなテレビ受信装置ＴＶによると、テレビ信号に基づいてテレビ画像を表示する液晶表示装置１０が、高い輝度を得つつも表示画像の色度を適切に補正することができるものであるから、テレビ画像の表示品質を優れたものとすることができる。
【０１２６】
また、上記したテレビ受信装置ＴＶは、チューナーＴから出力されたテレビ画像信号を、青色、緑色、赤色、黄色の各色の画像信号に変換する画像変換回路ＶＣを備える。このようにすれば、画像変換回路ＶＣによりテレビ画像信号を、カラーフィルタ１９を構成する、青色、緑色、赤色、黄色の各着色部Ｒ，Ｇ，Ｂ，Ｙに対応付けた各色の画像信号に変換しているから、高い表示品位でもってテレビ画像を表示することができる。
【０１２７】
＜実施形態２＞
本発明の実施形態２を図１５によって説明する。この実施形態２では、カラーフィルタ１９Ａを構成する赤色の着色部Ｒについて、他の着色部Ｇ，Ｂ，Ｙとは顔料濃度を異ならせるようにしたものを示す。なお、上記した実施形態１と同様の構造、作用及び効果について重複する説明は省略する。
【０１２８】
本実施形態に係るカラーフィルタ１９Ａを構成する各着色部Ｒ，Ｇ，Ｂ，Ｙは、図１５に示すように、その膜厚が全て等しいものとされるのに対し、赤色の着色部Ｒが他の着色部Ｇ，Ｂ，Ｙとは顔料濃度が異なる（高くなる）設定とされている。このため、各着色部Ｒ，Ｇ，Ｂ，Ｙの色度は、その顔料濃度の大きさに応じて変化するものとされており、顔料濃度が少なくなるほど色純度が低下して色度領域が縮小されるものの該当する色に属する透過光量は増加し、逆に顔料濃度が多くなるほど該当する色に属する透過光量が減少するものの色純度は向上して色度領域が拡張される傾向にある。つまり、各着色部Ｒ，Ｇ，Ｂ，Ｙは、顔料濃度が少なくなるほど色再現性では劣るものの輝度が高くなり、逆に顔料濃度が多くなるほど輝度が低くなるものの色再現性に優れるものとされる。このような構成のカラーフィルタ１９Ａを上記した実施形態１における比較実験２にて示した実施例３〜５，７〜９に適用することで、同様の結果を得ることが可能とされる。
【０１２９】
以上説明したように本実施形態によれば、各着色部Ｒ，Ｇ，Ｂ，Ｙは、顔料を分散配合してなり、赤色を呈する着色部Ｒは、青色を呈する着色部Ｂ及び緑色を呈する着色部Ｇよりも顔料濃度が高いものとされる。このように、赤色を呈する着色部Ｒに含まれる顔料の濃度を、青色を呈する着色部Ｂ及び緑色を呈する着色部Ｇに含まれる各顔料の濃度よりも相対的に高くすると、仮に上記各着色部Ｒ，Ｇ，Ｂの顔料濃度を同一とした場合に比べて、出射光における赤色に属する光の透過光量は減少するものの、赤色に属する色度領域が拡張される。これにより、高い色再現性を得ることができる。
【０１３０】
また、各着色部Ｒ，Ｇ，Ｂ，Ｙは、互いに膜厚がほぼ同じとされる。このようにすれば、カラーフィルタ１９Ａを構成する各着色部Ｒ，Ｇ，Ｂ，Ｙにおいて、両基板１１ａ，１１ｂ間に形成される静電容量がほぼ等しいものとされるから、両基板１１ａ，１１ｂ間に設けられる液晶層１１ｃの光学特性を電界印加によってより容易に制御することができる。これにより、各着色部Ｒ，Ｇ，Ｂ，Ｙに対する光の透過率をより容易に制御することができ、もって高い色再現性を得つつも液晶パネル１１に係る回路設計を極めて簡素なものとすることができる。
【０１３１】
＜実施形態３＞
本発明の実施形態３を図１６または図１７によって説明する。この実施形態３では、上記した実施形態１から液晶表示装置１１０の各構成部品を変更したものを示す。なお、上記した実施形態１と同様の構造、作用及び効果について重複する説明は省略する。
【０１３２】
図１６に、本実施形態に係る液晶表示装置１１０の分解斜視図を示す。ここで、図１６に示す上側を表側とし、同図下側を裏側とする。図１６に示すように、液晶表示装置１１０は、全体として横長の方形を成し、表示パネルである液晶パネル１１６と、外部光源であるバックライト装置１２４とを備え、これらがトップベゼル１１２ａ、ボトムベゼル１１２ｂ、サイドベゼル１１２ｃ（以下、ベゼル群１１２ａ〜１１２ｃと称する）等により一体的に保持されるようになっている。なお、液晶パネル１１６の構成については、上記した実施形態１のものと同様の構成であるため、重複する説明については省略する。
【０１３３】
以下、バックライト装置１２４について説明する。図１６に示すように、バックライト装置１２４は、バックライトシャーシ（挟持部材，支持部材）１２２と、光学部材１１８と、トップフレーム（挟持部材）１１４ａと、ボトムフレーム（挟持部材）１１４ｂと、サイドフレーム（挟持部材）１１４ｃと（以下、フレーム群１１４ａ〜１１４ｃと称する）、反射シート１３４ａと、を備えている。液晶パネル１１６は、ベゼル群１１２ａ〜１１２ｃとフレーム群１１４ａ〜１１４ｃとによって挟持されている。なお、符号１１３は、液晶パネル１１６を駆動するための表示制御回路基板１１５（図１７参照）を絶縁するための絶縁シートである。バックライトシャーシ１２２は、表側（光出射側、液晶パネル１１６側）に開口し、底面を有した略箱型をなしている。光学部材１１８は、導光板１２０の表側に配されている。反射シート１３４ａは、導光板１２０の裏側に配されている。さらに、バックライトシャーシ１２２内には、一対のケーブルホルダ１３１と、一対の放熱板（取付放熱板）１１９と、一対のＬＥＤユニット１３２と、導光板１２０と、が収容されている。ＬＥＤユニット１３２と導光板１２０と反射シート１３４ａは、ゴムブッシュ１３３によって互いに支持されている。バックライトシャーシ１２２の裏面には、ＬＥＤユニット１３２に電力を供給する電源回路基板（図示しない）や、当該電源回路基板を保護するための保護カバー１２３等が取り付けられている。一対のケーブルホルダ１３１は、バックライトシャーシ１２２の短辺方向に沿って配されており、ＬＥＤユニット１３２と電源回路基板との間を電気的に接続する配線を収容する。
【０１３４】
図１７に、バックライト装置１２４の水平断面図を示す。図１７に示すように、バックライトシャーシ１２２は、底面１２２ｚを備える底板１２２ａと、底板１２２ａの外縁から浅く立ち上がる側板１２２ｂ，１２２ｃと、から構成され、少なくともＬＥＤユニット１３２と導光板１２０とを支持している。また、一対の放熱板１１９は、底面部（第２板部）１１９ａと、底面部１１９ａの一方の長辺側外縁から立ち上がる側面部（第１板部）１１９ｂと、から構成される水平断面Ｌ字型の形状を成しており、各放熱板１１９がバックライトシャーシ１２２の両長辺方向に沿うように配されている。放熱板１１９の底面部１１９ａは、バックライトシャーシ１２２の底板１２２ａに固定されている。一対のＬＥＤユニット１３２は、バックライトシャーシ１２２の両長辺方向に沿って延びており、光出射側が互いに対向する形で放熱板１１９の側面部１１９ｂにそれぞれ固定されている。従って、一対のＬＥＤユニット１３２は、放熱板１１９を介してバックライトシャーシ１２２の底板１２２ａにそれぞれ支持されている。放熱板１１９は、ＬＥＤユニット１３２に発生した熱を、バックライトシャーシ１２２の底板１２２ａを介してバックライト装置１２４の外部へ放熱する。
【０１３５】
図１７に示すように、導光板１２０は、一対のＬＥＤユニット１３２の間に配されている。一対のＬＥＤユニット１３２と導光板１２０と光学部材１１８は、フレーム群（第１挟持部材）１１４ａ〜１１４ｃとバックライトシャーシ（第２挟持部材）１２２とによって挟持されている。さらに、導光板１２０と光学部材１１８は、フレーム群１１４ａ〜１１４ｃとバックライトシャーシ１２２とによって固定されている。なお、ＬＥＤユニット１３２の構成、導光板１２０の構成および光学部材１１８の構成については、上記実施形態１のものと同様の構成であるため、重複する説明を省略する。
【０１３６】
図１７に示すように、ボトムフレーム１１４ｂの表側には、駆動回路基板１１５が配されている。駆動回路基板１１５は、表示パネル１１６と電気的に接続されており、画像を表示するのに必要な画像データや各種制御信号を液晶パネル１１６に供給する。また、トップフレーム１１４ａの表面であってＬＥＤユニット１３２に対して露出する部位には、導光板１２０の長辺方向に沿って第１の反射シート１３４ｂが配されている。ボトムフレーム１１４ｂの表面であってＬＥＤユニット１３２と対向する部位にも、導光板１２０の長辺方向に沿って第１の反射シート１３４ｂが配されている。
【０１３７】
＜実施形態４＞
本発明の実施形態４を図１８から図２４によって説明する。この実施形態４では、上記した実施形態１からバックライト装置２１２を直下型に変更したものを示す。なお、上記した実施形態１と同様の構造、作用及び効果について重複する説明は省略する。
【０１３８】
本実施形態に係る液晶表示装置２１０は、図１８に示すように、液晶パネル２１１と、直下型のバックライト装置２１２とをベゼル２１３などにより一体化した構成とされる。なお、液晶パネル２１１の構成は、上記した実施形態１と同様であるから、重複する説明は省略する。以下、直下型のバックライト装置２１２の構成について説明する。
【０１３９】
バックライト装置２１２は、図１８に示すように、光出射面側（液晶パネル１１側）に開口部を有した略箱型をなすシャーシ２２２と、シャーシ２２２の開口部を覆うようにして配される光学部材２２３群、シャーシ２２２の外縁部に沿って配され光学部材２２３群の外縁部をシャーシ２２２との間で挟んで保持するフレーム２２７とを備える。さらに、シャーシ２２２内には、光学部材２２２（液晶パネル２１１）の直下となる位置に対向状に配されるＬＥＤ２２４と、ＬＥＤ２２４が実装されたＬＥＤ基板２２５と、ＬＥＤ基板２２５においてＬＥＤ２２４に対応した位置に取り付けられる拡散レンズ３１とが備えられる。その上、シャーシ２２２内には、ＬＥＤ基板２２５をシャーシ２２２との間で保持することが可能な保持部材３２と、シャーシ２２２内の光を光学部材２２３側に反射させる反射シート３３とが備えられる。このように本実施形態に係るバックライト装置２１２は、直下型であるから、実施形態１にて示したエッジライト型のバックライト装置１２で用いていた導光部材２６が備えられていない。なお、光学部材２２３の構成については、上記実施形態１と同様であるから、重複する説明を省略する。また、フレーム２２７の構成については、実施形態１とは第１反射シート２８を有していない点以外は同様であるから、説明を省略する。続いて、バックライト装置２１２の各構成部品について詳しく説明する。
【０１４０】
シャーシ２２２は、金属製とされ、図１９から図２１に示すように、液晶パネル２１１と同様に横長な方形状（矩形状、長方形状）をなす底板２２２ａと、底板２２２ａの各辺（一対の長辺及び一対の短辺）の外端からそれぞれ表側（光出射側）に向けて立ち上がる側板２２２ｂと、各側板２２２ｂの立ち上がり端から外向きに張り出す受け板２２２ｃとからなり、全体としては表側に向けて開口した浅い略箱型（略浅皿状）をなしている。シャーシ２２２は、その長辺方向がＸ軸方向（水平方向）と一致し、短辺方向がＹ軸方向（鉛直方向）と一致している。シャーシ２２２における各受け板２２２ｃには、表側からフレーム２２７及び次述する光学部材２２３が載置可能とされる。各受け板２２２ｃには、フレーム２２７がねじ止めされている。シャーシ２２２の底板２２２ａには、保持部材３２を取り付けるための取付孔２２２ｄが開口して設けられている。取付孔２２２ｄは、底板２２２ａにおいて保持部材３２の取付位置に対応して複数分散配置されている。
【０１４１】
次に、ＬＥＤ２２４が実装されるＬＥＤ基板２２５について説明する。なお、ＬＥＤ２２４の構成は、上記した実施形態１と同様であるから、重複する説明は省略する。ＬＥＤ基板２２５は、図１９及び図２０に示すように、平面に視て横長の方形状をなす基材を有しており、長辺方向がＸ軸方向と一致し、短辺方向がＹ軸方向と一致する状態でシャーシ２２２内において底板２２２ａに沿って延在しつつ収容されている。このＬＥＤ基板２２５の基材の板面のうち、表側を向いた面（光学部材２２３側を向いた面）には、ＬＥＤ２２４が表面実装されている。ＬＥＤ２２４は、その発光面が光学部材２２３（液晶パネル２１１）と対向状をなすとともに、その光軸ＬＡがＺ軸方向、つまり液晶パネル２１１の表示面と直交する方向と一致している。ＬＥＤ２２４は、ＬＥＤ基板２２５における長辺方向（Ｘ軸方向）に沿って複数が直線的に並列して配されるとともに、ＬＥＤ基板２２５に形成された配線パターンにより直列接続されている。各ＬＥＤ２２４の配列ピッチは、ほぼ一定となっており、つまり各ＬＥＤ２２４は、等間隔に配列されていると言える。また、ＬＥＤ基板２２５における長辺方向の両端部には、コネクタ部２２５ａが設けられている。
【０１４２】
上記した構成のＬＥＤ基板２２５は、図１９に示すように、シャーシ２２２内においてＸ軸方向及びＹ軸方向にそれぞれ複数ずつ、互いに長辺方向及び短辺方向を揃えた状態で並列して配置されている。つまり、ＬＥＤ基板２２５及びそこに実装されたＬＥＤ２２４は、シャーシ２２２内において共にＸ軸方向（シャーシ２２２及びＬＥＤ基板２２５の長辺方向）を行方向とし、Ｙ軸方向（シャーシ２２２及びＬＥＤ基板２２５の短辺方向）を列方向として行列状に配置（マトリクス状に配置、平面配置）されている。具体的には、ＬＥＤ基板２２５は、シャーシ２２２内においてＸ軸方向に３枚ずつ、Ｙ軸方向に９枚ずつ、合計２７枚が並列して配置されている。Ｘ軸方向に沿って並ぶことで１つの行をなす各ＬＥＤ基板２２５は、隣接するコネクタ部２２５ａ同士が嵌合接続されることで相互に電気的に接続されるとともに、シャーシ２２２におけるＸ軸方向の両端に対応したコネクタ部２２５ａが図示しない外部の制御回路に対してそれぞれ電気的に接続される。これにより、１つの行をなす各ＬＥＤ基板２２５に配された各ＬＥＤ２２４が直列接続されるとともに、その１つの行に含まれる多数のＬＥＤ２２４の点灯・消灯を１つの制御回路により一括して制御することができ、もって低コスト化を図ることが可能とされる。また、Ｙ軸方向に沿って並ぶ各ＬＥＤ基板２２５の配列ピッチは、ほぼ等しいものとされている。従って、シャーシ２２２内において底板２２２ａに沿って平面配置された各ＬＥＤ２２４は、Ｘ軸方向及びＹ軸方向についてそれぞれほぼ等間隔に配列されていると言える。
【０１４３】
拡散レンズ３１は、ほぼ透明で（高い透光性を有し）且つ屈折率が空気よりも高い合成樹脂材料（例えばポリカーボネートやアクリルなど）からなる。拡散レンズ３１は、図２２から図２４に示すように、所定の厚みを有するとともに、平面に視て略円形状に形成されており、ＬＥＤ基板２２５に対して各ＬＥＤ２２４を表側から個別に覆うよう、つまり平面に視て各ＬＥＤ２２４と重畳するようそれぞれ取り付けられている。そして、この拡散レンズ３１は、ＬＥＤ２２４から発せられた指向性の強い光を拡散させつつ出射させることができる。つまり、ＬＥＤ２２４から発せられた光は、拡散レンズ３１を介することにより指向性が緩和されるので、隣り合うＬＥＤ２２４間の間隔を広くとってもその間の領域が暗部として視認され難くなる。これにより、ＬＥＤ２２４の設置個数を少なくすることが可能となっている。この拡散レンズ３１は、平面に視てＬＥＤ２２４とほぼ同心となる位置に配されている。
【０１４４】
この拡散レンズ３１のうち、裏側を向き、ＬＥＤ基板２２５（ＬＥＤ２２４）と対向する面がＬＥＤ２２４からの光が入射される光入射面３１ａとされるのに対し、表側を向き、光学部材２２３と対向する面が光を出射する光出射面３１ｂとされる。このうち、光入射面３１ａは、図２３及び図２４に示すように、全体としてはＬＥＤ基板２２５の板面（Ｘ軸方向及びＹ軸方向）に沿って並行する形態とされるものの、平面に視てＬＥＤ２２４と重畳する領域に光入射側凹部３１ｃが形成されることでＬＥＤ２２４の光軸ＬＡに対して傾斜した傾斜面を有している。光入射側凹部３１ｃは、断面逆Ｖ字型の略円錐状をなすとともに拡散レンズ３１においてほぼ同心位置に配されている。ＬＥＤ２２４から発せられて光入射側凹部３１ｃ内に入った光は、傾斜面によって広角に屈折されつつ拡散レンズ３１に入射する。また、光入射面３１ａからは、ＬＥＤ基板２２５に対する取付構造である取付脚部３１ｄが突設されている。光出射面３１ｂは、扁平な略球面状に形成されており、それにより、拡散レンズ３１から出射する光を広角に屈折させつつ出射させることが可能とされる。この光出射面３１ｂのうち平面に視てＬＥＤ２２４と重畳する領域には、略擂鉢状をなす光出射側凹部３１ｅが形成されている。この光出射側凹部３１ｅにより、ＬＥＤ２２４からの光の多くを広角に屈折させつつ出射させたり、或いはＬＥＤ２２４からの光の一部をＬＥＤ基板２２５側に反射させることができる。
【０１４５】
続いて、保持部材３２について説明する。保持部材３２は、ポリカーボネートなどの合成樹脂製とされており、表面が光の反射性に優れた白色を呈する。保持部材３２は、図２２から図２４に示すように、ＬＥＤ基板２２５の板面に沿う本体部３２ａと、本体部３２ａから裏側、つまりシャーシ２２２側に向けて突出してシャーシ２２２に固定される固定部３２ｂとを備える。本体部３２ａは、平面に視て略円形の板状をなすとともに、シャーシ２２２の底板２２２ａとの間でＬＥＤ基板２２５及び次述する反射シート３３を共に挟持可能とされる。固定部３２ｂは、ＬＥＤ基板２２５及びシャーシ２２２の底板２２２ａにおける保持部材３２の取付位置に対応してそれぞれ形成された挿通孔２２５ｂ及び取付孔２２２ｄを貫通しつつ底板２２２ａに対して係止可能とされる。この保持部材３２は、図３に示すように、ＬＥＤ基板２２５の面内において多数個が行列状に並列配置されており、具体的にはＸ軸方向について隣り合う拡散レンズ３１（ＬＥＤ２２４）の間の位置にそれぞれ配されている。
【０１４６】
なお、保持部材３２のうち、画面中央側に配された一対の保持部材３２には、図１８から図２０に示すように、本体部３２ａから表側に突出する支持部３２ｃが設けられており、この支持部３２ｃによって光学部材２２３を裏側から支持することが可能とされ、それによりＬＥＤ２２４と光学部材２２３とのＺ軸方向の位置関係を一定に維持することができるとともに光学部材２２３の不用意な変形を規制することができる。
【０１４７】
次に、反射シート３３について説明する。反射シート３３は、シャーシ２２２の内面をほぼ全域にわたって覆う大きさの第１反射シート３４と、各ＬＥＤ基板２２５を個別に覆う大きさの第２反射シート３５とからなる。両反射シート３４，３５は、共に合成樹脂製とされ、表面が光の反射性に優れた白色を呈するものとされる。両反射シート３４，３５は、いずれもシャーシ２２２内において底板２２２ａ（ＬＥＤ基板２２５）に沿って延在するものとされる。
【０１４８】
先に第１反射シート３４について説明する。図１９に示すように、第１反射シート３４のうち、シャーシ２２２の底板２２２ａに沿って延在する中央側の大部分が底部３４ａとされる。底部３４ａには、シャーシ２２２内に配された各ＬＥＤ２２４と共に各ＬＥＤ２２４を覆う各拡散レンズ３１をも挿通することが可能なレンズ挿通孔３４ｂが貫通して形成されている。レンズ挿通孔３４ｂは、底部３４ａにおいて平面に視て各ＬＥＤ２２４及び各拡散レンズ３１と重畳する位置に複数並列して配され、マトリクス状に配されている。レンズ挿通孔３４ｂは、図２２に示すように、平面に視て円形状をなしており、その径寸法は拡散レンズ３１よりも大きくなる設定とされる。また、底部３４ａには、レンズ挿通孔３４ｂに隣り合う位置に、各保持部材３２の固定部３２ｂを通す挿通孔３４ｃが対応する位置に貫通して形成されている。この第１反射シート３４は、図１９に示すように、シャーシ２２２内において、隣り合う各拡散レンズ３１間の領域及び外周側領域を覆うので、それら各領域に向かう光を光学部材２２３側に向けて反射させることができる。また、第１反射シート３４のうち外周側部分は、図２０及び図２１に示すように、シャーシ２２２の側板２２２ｂ及び受け板２２２ｃを覆うように立ち上がり、受け板２２２ｃに載せられた部分がシャーシ２２２と光学部材２２３とに挟まれた状態とされる。また、第１反射シート３４のうち底部３４ａと、受け板２２２ｃに載せられた部分とを繋ぐ部分は、傾斜状をなしている。
【０１４９】
一方、第２反射シート３５は、図２２に示すように、ＬＥＤ基板２２５と概ね同じ外形、つまり平面に視て矩形状に形成されている。第２反射シート３５は、図２３及び図２４に示すように、ＬＥＤ基板２２５における表側の面に重なるよう配されるとともに、拡散レンズ３１に対して対向状をなす。つまり、第２反射シート３５は、拡散レンズ３１とＬＥＤ基板２２５との間に介在している。従って、拡散レンズ３１側からＬＥＤ基板２２５側に戻された光や、平面に視て当該拡散レンズ３１よりも外側の空間から拡散レンズ３１とＬＥＤ基板２２５との間の空間に入った光について、第２反射シート３５によって再び拡散レンズ３１側に反射させることができる。これにより、光の利用効率を高めることができ、もって輝度の向上を図ることができる。言い換えると、ＬＥＤ２２４の設置個数を少なくして低コスト化を図った場合でも十分な輝度を得ることができる。
【０１５０】
第２反射シート３５は、対象となるＬＥＤ基板２２５と同様に平面に視て横長な方形状をなしており、ＬＥＤ基板２２５を全域にわたって表側から覆うことが可能とされる。第２反射シート３５は、図２２及び図２４に示すように、短辺寸法がＬＥＤ基板２２５よりも大きなものとされ、さらには、拡散レンズ３１及び第１反射シート３４のレンズ挿通孔３４ｂの径寸法よりも大きなものとされる。従って、第２反射シート３５に対して第１反射シート３４におけるレンズ挿通孔３４ｂの縁部を表側に重ねて配置することが可能とされる。これにより、シャーシ２２２内において第１反射シート３４及び第２反射シート３５が平面に視て途切れることなく連続的に配されることになり、シャーシ２２２またはＬＥＤ基板２２５がレンズ挿通孔３４ｂから表側に露出することが殆どない。従って、シャーシ２２２内の光を効率的に光学部材２２３へ向けて反射させることができ、輝度の向上に極めて好適となる。また、第２反射シート３５には、各ＬＥＤ２２４を通すＬＥＤ挿通孔３５ａ、各拡散レンズ３１における各取付脚部３１ｄを通す脚部挿通孔３５ｂ、各保持部材３２の固定部３２ｂを通す挿通孔３５ｃがそれらと平面に視て重畳する位置にそれぞれ貫通して形成されている。
【０１５１】
以上説明したように本実施形態によれば、バックライト装置２１２は、ＬＥＤ２２４を収容するとともにＬＥＤ２２４に対して光出射側とは反対側に配される底板２２２ａを有するシャーシ２２２と、底板２２２ａ及びＬＥＤ２２４に対して光出射側に対向状に配される光学部材２２３とを備えている。このようにすれば、ＬＥＤ２２４から発せられた光は、底板２２２ａ及びＬＥＤ２２４に対して光出射側に対向状に配される光学部材２２３に照射され、光学部材２２３を透過してから液晶パネル１１へと出射される。
【０１５２】
また、ＬＥＤ２２４の光出射側には、ＬＥＤ２２４からの光を拡散させる拡散レンズ３１が配されている。このようにすれば、ＬＥＤ２２４から発せられた光を拡散レンズ３１により拡散させつつ出射させることができる。これにより、出射光にムラが生じ難くなるので、ＬＥＤ２２４の設置数を削減することが可能となり、もって低コスト化を図ることができる。
【０１５３】
＜他の実施形態＞
本発明は上記記述及び図面によって説明した実施形態に限定されるものではなく、例えば次のような実施形態も本発明の技術的範囲に含まれる。
（１）上記した実施形態１では、赤色の着色部を他の着色部よりも膜厚が厚くなる構成のもの（図１４）を示したが、その変形例として下記のような構成とすることも可能である。すなわち、図２５に示すように、緑色の着色部Ｇ、黄色の着色部Ｙ、青色の着色部Ｂ（赤色の着色部Ｒ以外の着色部Ｇ，Ｂ，Ｙ）に対して透明なスペーサ材３９を積層配置し、各着色部Ｇ，Ｂ，Ｙとスペーサ材３９との膜厚を足し合わせた大きさを赤色の着色部Ｒと等しくすることも可能である。このようにすれば、両基板１１ａ，１１ｂ間に形成される静電容量が各着色部Ｒ，Ｇ，Ｂ，Ｙにおいて全て等しいものとなるので、液晶パネル１１の回路設計上優れる。
【０１５４】
（２）上記した（１）のさらなる変形例として、図２６に示すように、各着色部Ｇ，Ｂ，Ｙとスペーサ材３９との積層順を（１）とは逆にすることも可能である。
【０１５５】
（３）上記した各実施形態以外にも、液晶パネルにおけるカラーフィルタの着色部の並び順は、適宜変更可能である。例えば、図２７に示すように、カラーフィルタ１９′をなす各着色部Ｒ，Ｇ，Ｂ，Ｙが同図左側から赤色の着色部Ｒ、緑色の着色部Ｇ、青色の着色部Ｂ、黄色の着色部Ｙの順でＸ軸方向に沿って並ぶ配列としたものも本発明に含まれる。
【０１５６】
（４）上記した（１）以外にも、例えば、図２８に示すように、カラーフィルタ１９′′をなす各着色部Ｒ，Ｇ，Ｂ，Ｙが同図左側から赤色の着色部Ｒ、黄色の着色部Ｙ、緑色の着色部Ｇ、青色の着色部Ｂ、の順でＸ軸方向に沿って並ぶ配列としたものも本発明に含まれる。
【０１５７】
（５）上記した実施形態１では、主発光波長がそれぞれ５１９ｎｍ，５３９ｎｍ，５５４ｎｍとされるＹＡＧ系蛍光体を用いた場合を例示したが、５１９ｎｍ〜５５４ｎｍの範囲において５１９ｎｍ，５３９ｎｍ，５５４ｎｍ以外の主発光波長とされるＹＡＧ系蛍光体を用いることも勿論可能である。
【０１５８】
（６）上記した実施形態１では、主発光波長が５１９ｎｍ〜５５４ｎｍの範囲に含まれるＹＡＧ系蛍光体を用いた場合を例示したが、主発光波長が５１９ｎｍを下回るＹＡＧ系蛍光体や、５５４ｎｍを上回るＹＡＧ系蛍光体を用いることも可能である。その場合でも、ＹＡＧ系蛍光体の主発光波長は、５００ｎｍ〜５７０ｎｍの範囲、つまり緑色の波長領域に存在する設定とするのが好ましい。仮に、ＹＡＧ系蛍光体における主発光波長が５００ｎｍを下回る場合、つまりシアン色や青色の波長領域とされる場合には、十分な輝度が得られなくなるおそれがあり、またＬＥＤチップとして青色光を発するものを用いたときの色度調整が極めて困難になるおそれがある。一方、ＹＡＧ系蛍光体における主発光波長が５７０ｎｍを上回る場合、つまり黄色や赤色の波長領域とされる場合には、やはり十分な輝度が得られなくなるおそれがあり、また黄色の着色部を含むカラーフィルタを備える液晶パネルに対応してＬＥＤの色度を調整するのが極めて困難になるおそれがある。その点、上記したようにＹＡＧ系蛍光体として主発光波長が緑色の波長領域に存するものを用いることで、色度調整を容易なものとしつつも高い輝度及び色再現性を得ることができるのである。
【０１５９】
（７）上記した（６）では、ＹＡＧ系蛍光体の主発光波長が、５００ｎｍ〜５７０ｎｍの範囲に存在する設定としたものを示したが、例えば、主発光波長が、５７０ｎｍ〜６００ｎｍの範囲、つまり黄色の波長領域に存在するＹＡＧ系蛍光体を用いることも可能である。
【０１６０】
（８）上記した実施形態１では、赤色蛍光体としてカズン（ＣａＡｌＳｉＮ3：Ｅｕ）を用いたものを示したが、他のカズン系蛍光体を用いることも可能である。また、赤色蛍光体としてカズン系蛍光体以外のものを用いることも可能である。
【０１６１】
（９）上記した実施形態１では、比較実験２の実施例３〜５，７〜９において、青色を呈する着色部及び緑色を呈する着色部の膜厚に対する赤色の着色部の膜厚の比率（膜厚比率）が、１４２．８〜２１４．３％の範囲とされるものを示したが、膜厚比率が１４２．８％を下回る設定や、２１４．３％を上回る設定とすることも勿論可能である。但し、その場合でも上記膜厚比率が２５０％を下回る設定とするのが好ましい。仮に上記膜厚比率を２５０％よりも大きくすると、両基板間に形成される静電容量が青色を呈する着色部及び緑色を呈する着色部と、赤色を呈する着色部とで大きく乖離し過ぎることとなるため、両基板間に設けられる液晶層の光学特性を電界印加によって適切に制御できなくなるおそれがある。従って、上記膜厚比率を２５０％以下の大きさとすることで、両基板間に設けられる液晶層の光学特性を電界印加によって適切に制御できるとともに、高い色再現性を得ることができる。
【０１６２】
（１０）上記した実施形態１では、ＬＥＤチップの主発光波長を４５１ｎｍとした場合を示したが、主発光波長が４５１ｎｍよりも長波長側にシフトしたものや、４５１ｎｍよりも短波長側にシフトしたものも本発明に含まれる。その場合でも、ＬＥＤチップの主発光波長を、４２０ｎｍ〜５００ｎｍの範囲で設定するのが好ましい。このようなＬＥＤチップを有するＬＥＤは、青色光を極めて高い効率でもって発することができるので、光の三原色に加えて黄色の着色部を有する液晶パネルにおける表示画像の色度を補正するにあたり、ＬＥＤの色度を黄色の補色である青色味を帯びた光に調整するに際しても、輝度が低下し難く、もって高い輝度を維持することができる。
【０１６３】
（１１）上記した実施形態１と実施形態２とを組み合わせて、赤色の着色部の膜厚と顔料濃度とを共に他の着色部とは異ならせる設定とすることも可能である。
【０１６４】
（１２）上記した実施形態１では、カラーフィルタの着色部が顔料を含有するものを示したが、染料を含有する着色部からなるカラーフィルタを設けたものも本発明に含まれる。その場合、実施形態２と同様に、赤色の着色部に含まれる染料の濃度（染料濃度）を他の着色部とは異ならせるとともに、全着色部の膜厚を均一に揃える設定とすることも勿論可能である。
【０１６５】
（１３）上記した実施形態１では、カラーフィルタは、出射光における青色、赤色、緑色、及び黄色を呈する各着色部の色度が、いずれもＣＩＥ１９３１色度図とＣＩＥ１９７６色度図との双方において、ＮＴＳＣ規格に係るＮＴＳＣ色度領域とＥＢＵ規格に係るＥＢＵ色度領域との共通領域外に存する構成とされるものを示したが、各着色部の色度が、ＣＩＥ１９３１色度図とＣＩＥ１９７６色度図とのいずれか一方においてのみ、共通領域外に存する構成とすることも可能である。
【０１６６】
（１４）上記した実施形態１では、ＬＥＤ基板（ＬＥＤ）がシャーシ（導光部材）における両長辺側の端部に一対配されるものを示したが、例えばＬＥＤ基板（ＬＥＤ）がシャーシ（導光部材）における両短辺側の端部に一対配されるものも本発明に含まれる。
【０１６７】
（１５）上記した（１４）以外にも、ＬＥＤ基板（ＬＥＤ）をシャーシ（導光部材）における両長辺及び両短辺の各端部に対して一対ずつ配したものや、逆にＬＥＤ基板（ＬＥＤ）をシャーシ（導光部材）における一方の長辺または一方の短辺の端部に対してのみ１つ配したものも本発明に含まれる。
【０１６８】
（１６）上記した各実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
【０１６９】
（１７）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１７０】
（１８）上記した各実施形態では、表示パネルとして液晶パネルを用いた液晶表示装置を例示したが、他の種類の表示パネルを用いた表示装置にも本発明は適用可能である。
【０１７１】
（１９）上記した各実施形態では、チューナーを備えたテレビ受信装置を例示したが、チューナーを備えない表示装置にも本発明は適用可能である。
【符号の説明】
【０１７２】
１０，１１０，２１０…液晶表示装置（表示装置）、１１，１１６，２１１…液晶パネル（表示パネル）、１１ａ…ＣＦ基板（基板）、１１ｂ…アレイ基板（基板）、１１ｃ…液晶層（物質、液晶）、１２，１２４，２１２…バックライト装置（照明装置）、１９…カラーフィルタ、２４，２２４…ＬＥＤ（光源）、２４ａ…ＬＥＤチップ（ＬＥＤ素子）、２６，１２０…導光部材、２６ｂ…光入射面、２８…第１反射シート（反射部材）、２９…第２反射シート（反射部材）、３０…レンズ部材、３１…拡散レンズ、３６…ＮＴＳＣ色度領域、３７…ＥＢＵ色度領域、３８…共通領域、２２２…シャーシ、２２２ａ…底板（底部）、２２３…光学部材、Ｒ…赤色を呈する着色部、Ｇ…緑色を呈する着色部、Ｂ…青色を呈する着色部、Ｙ…黄色を呈する着色部、Ｔ…チューナー（受信部）、ＴＶ…テレビ受信装置、ＶＣ…画像変換回路
【図１】
0005416270.tif 000005
【図２】
0005416270.tif 000006
【図３】
0005416270.tif 000007
【図４】
0005416270.tif 000008
【図５】
0005416270.tif 000009
【図６】
0005416270.tif 000010
【図７】
0005416270.tif 000011
【図８】
0005416270.tif 000012
【図９】
0005416270.tif 000013
【図１０】
0005416270.tif 000014
【図１１】
0005416270.tif 000015
【図１２】
0005416270.tif 000016
【図１３】
0005416270.tif 000017
【図１４】
0005416270.tif 000018
【図１５】
0005416270.tif 000019
【図１６】
0005416270.tif 000020
【図１７】
0005416270.tif 000021
【図１８】
0005416270.tif 000022
【図１９】
0005416270.tif 000023
【図２０】
0005416270.tif 000024
【図２１】
0005416270.tif 000025
【図２２】
0005416270.tif 000026
【図２３】
0005416270.tif 000027
【図２４】
0005416270.tif 000028
【図２５】
0005416270.tif 000029
【図２６】
0005416270.tif 000030
【図２７】
0005416270.tif 000031
【図２８】
0005416270.tif 000032